【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  構造式
【化１】
2001516758.tif 000001
［式中、
ＲはＣ1−Ｃ6アルキル、Ｃ1−Ｃ6ハロアルキル、Ｃ3−Ｃ7シクロアルキル、Ｃ3−Ｃ6アルケニル、Ｃ3−Ｃ6アルキニル、ベンジル、ＯＲ4またはＮＲ5Ｒ6であり、
Ｒ1およびＲ2は各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そして
Ｒ1およびＲ2がそれらが結合している原子と一緒になる時には、それらは場合により酸素、硫黄または窒素により中断されていてもよくそして場合により１〜３
個のメチル基または１個もしくはそれ以上のハロゲン原子で置換されていてもよい４〜７員の飽和もしくは不飽和環を表し、
Ｒ3はハロゲンまたはＡ2Ｒ11であり、
Ｘは水素、ハロゲンまたはＣ1−Ｃ4アルキルであり、
Ｘ1は水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺはＯまたはＳ(Ｏ)mであり、
Ｙはハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2はＯ、Ｓ(Ｏ)pまたはＮＲ13であり、
Ｘ3は−Ｃ(＝Ａ3)−、−Ｃ(＝ＮＯＲ14)−または−Ｃ(＝Ｎ−ＮＲ13Ｒ50)であり、
Ｒ4、Ｒ5、Ｒ6、Ｒ7、Ｒ8、Ｒ9、Ｒ10、Ｒ11およびＲ14は各々独立して水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、
Ｒ12は水素であるか、
Ｃ1−Ｃ8アルキル、Ｃ3−Ｃ7シクロアルキル、Ｃ2−Ｃ8アルケニル、Ｃ5−Ｃ6シクロアルケニルもしくはＣ2−Ｃ8アルキニル基であり、ここで、各々の基が場合により１〜６個のハロゲン原子、場合により１個のＣ1−Ｃ6アルコキシ、ベンジルオキシもしくはＣ1−Ｃ6アルキルチオ基で置換されていてもよい１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ3−Ｃ7シクロアルキル基、１個のチオシアノ基、１個のＯ(ＳＯ2)Ｒ17基、１個のＯ(ＮＯ2)基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、１個の第四級有機アンモニウム基、または
各々のフェニル基が独立して場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１もしくは２個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであるか、または
場合により１もしくは２個のハロゲン原子、１もしくは２個のＣ1−Ｃ4アルキル基、１個のＣ1−Ｃ4アルコキシ基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいインダンであり、
そしてＲ12およびＲ13がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13は水素、Ｃ1−Ｃ8アルコキシアルキル、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノ、ＳＯ2Ｒ51または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシもしくはＣ1−Ｃ4ハロアルコキシから独立して選択される１個もしくはそれ以上の基で置換されていてもよい５〜１２員の単環式もしくは縮合二環式の複素環式環であり、そしてＲ13およびＲ12がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28はハロゲンであり、
Ｒ22およびＲ27は各々独立して水素、Ｓｉ(Ｒ31)3、Ｃ(Ｏ)ＮＲ35Ｒ36、Ｃ(Ｏ)
Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20は各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ16およびＲ21は各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51は各々独立してＮＲ46Ｒ48、−Ｎ＝ＣＲ46Ｒ48、場合により１個のＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26は各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32は水素、
Ｓｉ(Ｒ47)3、
ジ(Ｃ1−Ｃ4アルキル)イミノ、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38は各々独立してＣ1−Ｃ6アルキルであり、
Ｒ35およびＲ49は各々独立して水素またはＣ1−Ｃ6アルキルでありそしてＲ36およびＲ50は各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑは各々独立して０、１または２の整数であり、
Ｒ29は水素、Ｃ1−Ｃ4アルキルまたはＣ1−Ｃ4ハロアルキルであり、
Ｒ24、Ｒ31、Ｒ41およびＲ47は各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48は各々独立して水素、Ｃ2−Ｃ6アルケニル、Ｃ3−Ｃ8シクロアルキル、
場合により１もしくは２個のＣ1−Ｃ4アルコキシ基で置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、そして
Ｒ46およびＲ48がそれらが結合している原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式またはシクロアルキル環を形成し、そして
Ａ、Ａ1、Ａ2、Ａ3、Ａ4、Ｘ4およびＸ5は各々独立してＯまたはＳである］
を有する化合物、並びにその光学異性体、ジアステレオマー類および／または互変異性体。
【請求項２】  ＲがＣ1−Ｃ6アルキル、Ｃ1−Ｃ6ハロアルキル、Ｃ3−Ｃ7シクロアルキル、Ｃ3−Ｃ6アルケニル、Ｃ3−Ｃ6アルキニル、ベンジル、ＯＲ4またはＮＲ5Ｒ6であり、
Ｒ1およびＲ2が各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そして
Ｒ1およびＲ2がそれらが結合している原子と一緒になる時には、それらが場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｒ3がハロゲンまたはＡ2Ｒ11であり、
Ｘが水素、ハロゲンまたはＣ1−Ｃ4アルキルであり、
Ｘ1が水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺがＯまたはＳ(Ｏ)mであり、
Ｙがハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2がＯ、Ｓ(Ｏ)pまたはＮＲ13であり、
Ｘ3が−Ｃ(＝Ａ3)−または−Ｃ(＝ＮＯＲ14)−であり、
Ｒ4、Ｒ5、Ｒ6、Ｒ7、Ｒ8、Ｒ9、Ｒ10、Ｒ11およびＲ14が各々独立して水素、Ｃ1−Ｃ6アルキル、Ｃ3−Ｃ7シクロアルキル、Ｃ2−Ｃ6アルケニル、Ｃ2−Ｃ6アルキニルまたはベンジルであり、
Ｒ12が水素であるか、
Ｃ1−Ｃ6アルキル、Ｃ3−Ｃ7シクロアルキル、Ｃ2−Ｃ6アルケニル、Ｃ5−Ｃ6シクロアルケニルもしくはＣ2−Ｃ6アルキニル基であり、ここで、各々の基が場合により１〜６個のハロゲン原子、１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ(Ｏ)Ｒ18基、１もしくは２個のＣＯ2Ｒ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の複素環式環、
１個の第四級有機アンモニウム基、または
場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであり、
そしてＲ12およびＲ13がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13が水素、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノまたはＳＯ2Ｒ51であり、そしてＲ13およびＲ12がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28がハロゲンであり、
Ｒ22およびＲ27が各々独立して水素、Ｓｉ(Ｒ31)3であるか、
１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＨＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、
または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のＣ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは
１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20が各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいフェニル、または
Ｃ(Ｏ)Ｒ43
であり、
Ｒ16およびＲ21が各々独立して水素、Ｃ1−Ｃ6アルキル、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51が各々独立してＣ1−Ｃ4アルキル、Ｃ1−Ｃ4ハロアルキル、ＣＯ2Ｒ23、
場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26が各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32が水素、
Ｓｉ(Ｒ47)3、
ジ(Ｃ1−Ｃ4アルキル)イミノ、
場合により１個のＣＯ2Ｒ48、Ｃ1−Ｃ6アルコキシもしくはジ(Ｃ1−Ｃ4アルキル)イミノ基で置換されていてもよいＣ1−Ｃ20アルキル、
Ｃ1−Ｃ15ハロアルキル、
Ｃ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリルもしくはＮＲ49Ｒ50基で置換されたＣ1−Ｃ4アルキル、または
アルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38が各々独立してＣ1−Ｃ6アルキルであり、
Ｒ35およびＲ49が各々独立して水素またはＣ1−Ｃ6アルキルでありそしてＲ36およびＲ50が各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑが各々独立して０、１または２の整数であり、
Ｒ29が水素、Ｃ1−Ｃ4アルキルまたはＣ1−Ｃ4ハロアルキルであり、
Ｒ24、Ｒ31、Ｒ41およびＲ47が各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48が各々独立して水素、Ｃ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ａ、Ａ1、Ａ2、Ａ3、Ａ4、Ｘ4およびＸ5が各々独立してＯまたはＳである、
請求項１に記載の化合物、並びにその光学異性体、ジアステレオマー類および／または互変異性体。
【請求項３】  構造式
【化２】
2001516758.tif 000002
を有する請求項１に記載の化合物。
【請求項４】  ＲがＣ1−Ｃ4アルキル、Ｃ1−Ｃ4ハロアルキル、Ｃ3−Ｃ4アルケニル、Ｃ3−Ｃ4アルキニルまたはベンジルであり、
Ｒ1がハロゲンまたはＣ1−Ｃ4ハロアルキルであり、
Ｒ2が水素、ハロゲンまたはＣ1−Ｃ4ハロアルキルであり、
ＸおよびＸ1が各々独立して水素またはハロゲンであり、
ＺがＯまたはＳであり、
Ｙがシアノ、Ｒ12、Ｘ2Ｒ12またはＸ3Ｘ2Ｒ12であり、
Ｘ2がＯ、ＳまたはＮＲ13であり、
Ｒ12が水素であるか、
Ｃ1−Ｃ6アルキル、Ｃ3−Ｃ7シクロアルキル、Ｃ2−Ｃ6アルケニル、Ｃ5−Ｃ6シクロアルケニルもしくはＣ2−Ｃ6アルキニル基であり、ここで、各々の基が場合により１〜３個のハロゲン原子、１もしくは２個のＣ1−Ｃ20アルコキシ基、１もしくは２個のＣ1−Ｃ10ハロアルコキシ基、１個のＮＲ15Ｒ16基、１個のＳ(Ｏ)qＲ17基、１もしくは２個のシアノ基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜２個のＸ4Ｒ22基、１個のＰ(Ｏ)(ＯＲ23)2基、１個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
場合により１〜３個のハロゲン原子、１個のＣ1−Ｃ6アルキル基、１個のＣ1−Ｃ6アルコキシ基、１個のＣ3−Ｃ7シクロアルキル基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１個のフェニル基
のいずれかの組み合わせで置換されていてもよいか、
場合により１もしくは２個のハロゲン原子、１〜３個のＣ1−Ｃ4アルキル基、１もしくは２個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであり、
Ｒ13が水素、Ｃ2−Ｃ6アルコキシアルキル、Ｃ1−Ｃ4アルキル、Ｃ3−Ｃ7シクロアルキル、Ｃ3−Ｃ6アルケニル、Ｃ3−Ｃ6アルキニル、ベンジル、ＯＲ23、シアノまたはＳＯ2Ｒ51であり、
Ｒ14が水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、Ｒ16およびＲ21が各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいフェニル
であり、そして
Ｒ32が水素、
Ｓｉ(Ｒ47)3、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
である、
請求項３に記載の化合物。
【請求項５】  {{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸イソプロピル、
{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}酢酸メチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−(ジメチルアミノ)エチル、
２−{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}プロピオン酸メチル、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}プロピオン酸メチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−プロピニル、
３−[３−(６−メトキシ−ｍ−トリル)−１,２−ベンズイソチアゾール−５−イル]−１−メチル−６−(トリフルオロメチル)−２,４(１Ｈ,３Ｈ)−ピリミジンジオン、
３−[３−(ｐ−エチルフェニル)−１,２−ベンズイソチアゾール−５−イル]−１−メチル−６−(トリフルオロメチル)−２,４(１Ｈ,３Ｈ)−ピリミジンジオン、
１−メチル−３−(３−メチル−１,２−ベンズイソチアゾール−５−イル]−６−(トリフルオロメチル)−２,４(１Ｈ,３Ｈ)−ピリミジンジオン、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｍ−トリル}オキシ}プロピオン酸メチル、
{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}酢酸メチル、
３−[３−(ジブロモメチル)−１,２−ベンズイソチアゾール−５−イル]−１−メチル−６−(トリフルオロメチル)−２,４(１Ｈ,３Ｈ)−ピリミジンジオン、３−(６−フルオロ−３−メチル−１,２−ベンズイソオキサゾール−５−イル]−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸エチル、
１−メチル−３−{３−[６−(２−プロピニルオキシ)−ｍ−トリル]−１,２−ベンズイソチアゾール−５−イル}−６−(トリフルオロメチル)−２,４(１Ｈ,３Ｈ)−ピリミジンジオン、
３−{３−{６−[(１−ベンズイミダゾリルカルボニル)メトキシ]−ｍ−トリル}−１,２−ベンズイソチアゾール−５−イル}−１−メチル−６−(トリフルオロメチル)−２,４(１Ｈ,３Ｈ)−ピリミジンジオン、
３−{３−{６−{[(ｍ−シアノフェニル)カルバモイル]メトキシ}−ｍ−トリル}−１,２−ベンズイソチアゾール−５−イル}−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸アリル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸３−フェニル−２−プロピニル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸１−メチル−２−プロピニル、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}プロピオン酸２−クロロエチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２,２,２−トリフルオロエチル、
３−[３−(２−メトキシ−ｐ−トリル)−１,２−ベンズイソチアゾール−５−イル]−１−メチル−６−(トリフルオロメチル)−２,４(１Ｈ,３Ｈ)−ピリミジンジオン、
２−[３−(６−メトキシ−３,４−キシリル)−１,２−ベンズイソチアゾール−５−イル]−１−メチル−６−(トリフルオロメチル)−２,４(１Ｈ,３Ｈ)−ピリミジンジオン、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}プロピオン酸メチル、
{{６−{５−[３,６−ジヒドロ−３−メチル−２,６−ジオキソ−４−(トリフルオロメチル)−１(２Ｈ)−ピリミジニル]−１,２−ベンズイソチアゾール−３−イル}−２,４−キシリル}オキシ}酢酸メチル、
３−{３−{６−{[(ｍ−シアノフェニル)カルバモイル]メトキシ}−ｍ−トリル}−１,２−ベンズイソチアゾール−５−イル}−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}酢酸メチル、
１−メチル−３−{３−[(メチルスルホニル)メチル]−１,２−ベンズイソチアゾール−５−イル}−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}酢酸２−プロピニル、
３−[３−(ｏ−メトキシフェニル)−１,２−ベンズイソチアゾール−５−イル］−１−メチル−６−(トリフルオロメチル)−２,４(１Ｈ,３Ｈ)−ピリミジンジオン、
Ｎ−{{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}アセチル}メタンスルホンアミド、
２−{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}プロピオン酸２−プロピニル、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸２−プロピニル、
５−[３,６−ジヒドロ−３−メチル−２,６−ジオキソ−４−(トリフルオロメチル)−１(２Ｈ)−ピリミジニル]−１,２−ベンズイソチアゾール−３−アセトニトリル、
３−{３−[(アリルオキシ)メチル]−１,２−ベンズイソチアゾール−５−イル}−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−Ｎ−(メチルスルホニル)−１,２−ベンズイソチアゾール−３−カルボキシアミド、
{{２−{５−[３,６−ジヒドロ−３−メチル−２,６−ジオキソ−４−(トリフルオロメチル)−１(２Ｈ)−ピリミジニル]−６−フルオロ−１,２−ベンズイソオキサゾール−３−イル}−ｐ−トリル}オキシ}酢酸メチル、
{{６−{５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−イル}−ｍ−トリル}オキシ}酢酸メチル、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}プロピオン酸、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}−Ｎ−メトキシアセトアミド、
２−{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−４−メトキシフェノキシ}プロピオン酸メチル、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−(メチルスルホニル)アセトアミド、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−(メチルスルホニル)プロピオンアミド、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}−Ｎ−メチル−Ｎ−(メチルスルホニル)アセトアミド、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−メチル−Ｎ−(メチルスルホニル)アセトアミド、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−(エチルスルホニル)アセトアミド、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,２−チオフェンカルボキシレート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,ベンゾエート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,メトキシアセテート（エステル）、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−α,α−ジメチル−１,２−ベンズイソチアゾール−３−アセトニトリル、
５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−アセトニトリル、
５−[３,６−ジヒドロ−３−メチル−２,６−ジオキソ−４−(トリフルオロメチル)−１(２Ｈ)−ピリミジニル]−α−エチル−１,２−ベンズイソチアゾール−３−アセトニトリル、
５−[３,６−ジヒドロ−３−メチル−２,６−ジオキソ−４−(トリフルオロメチル)−１(２Ｈ)−ピリミジニル]−α,α−ジエチル−１,２−ベンズイソチアゾール−３−アセトニトリル、
３−[６−フルオロ−３−(メトキシメチル)−１,２−ベンズイソチアゾール−５−イル]−１−メチル−６−(トリフルオロメチル)−２,４(１Ｈ,３Ｈ)−ピリミジンジオン、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,５−イソオキサゾールカルボキシレート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,シクロプロパンカルボキシレート（エステル）、
３−(３−アセチル−１,２−ベンズイソチアゾール−５−イル]−１−メチル−６−(トリフルオロメチル)−２,４(１Ｈ,３Ｈ)−ピリミジンジオン、
３−[３−(１−メトキシエチル)−１,２−ベンズイソチアゾール−５−イル]−１−メチル−６−(トリフルオロメチル)−２,４(１Ｈ,３Ｈ)−ピリミジンジオン、
Ｎ−(ベンジルスルホニル)−５−[３,６−ジヒドロ−３−メチル−２,６−ジオキソ−４−(トリフルオロメチル)−１(２Ｈ)−ピリミジニル]−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−１,２−ベンズイソチアゾール−３−カルボン酸メチル、
５−[３,６−ジヒドロ−３−メチル−２,６−ジオキソ−４−(トリフルオロメチル)−１(２Ｈ)−ピリミジニル]−α,α−ジメチル−１,２−ベンズイソチアゾール−３−酢酸ベンジル、
Ｎ−(ベンジルスルホニル)−５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(メチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−[(ｐ−メチルベンジル)スルホニル]−１,２−ベンズイソチアゾール−３−カルボキシアミド、
Ｎ−(ベンジルスルホニル)−５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボキシアミド、
３−[３−(１−ヒドロキシエチル)−１,２−ベンズイソチアゾール−５−イル]−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−１,２−ベンズイソチアゾール−３−カルボキシアルデヒド,３−(ジメチルアセタール)、
３−(６−フルオロ−３−メチル−１,２−ベンズイソチアゾール−５−イル)−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボキシアルデヒド,３−(ジメチルアセタール)、
５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボン酸、
５−[３,６−ジヒドロ−３−メチル−２,６−ジオキソ−４−(トリフルオロメチル)−１(２Ｈ)−ピリミジニル]−α−メチル−１,２−ベンズイソチアゾール−３−アセトニトリル、
Ｎ−(ベンジルスルホニル)−５−[３,６−ジヒドロ−３−メチル−２,６−ジオキソ−４−(トリフルオロメチル)−１(２Ｈ)−ピリミジニル]−Ｎ−(エトキシメチル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(ジメチルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−α,α−ジメチル−１,２−ベンズイソチアゾール−３−酢酸メチル、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,２−フロエート（ｆｕｒｏａｔｅ）（エステル）、
Ｎ−[(ｍ−クロロベンジル)スルホニル]−５−[３,６−ジヒドロ−３−メチル−２,６−ジオキソ−４−(トリフルオロメチル)−１(２Ｈ)−ピリミジニル]−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(ジイソプロピルスルファモイル)−１,２−ベンズイソチアゾール−３−カルボキシアミド、および
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,メチルカルバメート（エステル）
よりなる群から選択される請求項１に記載の化合物。
【請求項６】  望ましくない植物の葉またはそれらの種子もしくは他の増殖器官を含有する土もしくは水に除草有効量の請求項１に記載の化合物を適用することを含んでなる望ましくない植物種の抑制方法。
【請求項７】  不活性固体または液体担体および除草有効量の請求項１に記載の化合物を含んでなる除草剤組成物。
【請求項８】  構造式
【化３】
2001516758.tif 000003
［式中、
Ｒ1およびＲ2は各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そしてＲ1およびＲ2がそれらが結合している原子と一緒になる時には、それらは場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｘは水素、ハロゲンまたはＣ1−Ｃ4アルキルであり、
Ｘ1は水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺはＯまたはＳ(Ｏ)mであり、
Ｙはハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2はＯ、Ｓ(Ｏ)pまたはＮＲ13であり、
Ｘ3は−Ｃ(＝Ａ3)−、−Ｃ(＝ＮＯＲ14)−または−Ｃ(＝Ｎ−ＮＲ13Ｒ50)であり、
Ｒ4、Ｒ5、Ｒ6、Ｒ7、Ｒ8、Ｒ9、Ｒ10、Ｒ11およびＲ14は各々独立して水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、
Ｒ12は水素であるか、
Ｃ1−Ｃ8アルキル、Ｃ3−Ｃ7シクロアルキル、Ｃ2−Ｃ8アルケニル、Ｃ5−Ｃ6シクロアルケニルもしくはＣ2−Ｃ8アルキニル基であり、ここで、各々の基が場合により１〜６個のハロゲン原子、場合により１個のＣ1−Ｃ6アルコキシ、ベンジルオキシもしくはＣ1−Ｃ6アルキルチオ基で置換されていてもよい１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ3−Ｃ7シクロアルキル基、１個のチオシアノ基、１個のＯ(ＳＯ2)Ｒ17基、１個のＯ(ＮＯ2)基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
各々のフェニル基が独立して場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１もしくは２個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであるか、または
場合により１もしくは２個のハロゲン原子、１もしくは２個のＣ1−Ｃ4アルキル基、１個のＣ1−Ｃ4アルコキシ基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいインダンであり、
そしてＲ12およびＲ13がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13は水素、Ｃ1−Ｃ8アルコキシアルキル、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノ、ＳＯ2Ｒ51または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシもしくはＣ1−Ｃ4ハロアルコキシから独立して選択される１個もしくはそれ以上の基で置換されていてもよい５〜１２員の単環式もしくは縮合二環式の複素環式環であり、そしてＲ13およびＲ12がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28はハロゲンであり、
Ｒ22およびＲ27は各々独立して水素、Ｓｉ(Ｒ31)3、Ｃ(Ｏ)ＮＲ35Ｒ36、Ｃ(Ｏ)Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20は各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ16およびＲ21は各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51は各々独立してＮＲ46Ｒ48、−Ｎ＝ＣＲ46Ｒ48、場合により１個のＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26は各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32は水素、
Ｓｉ(Ｒ47)3、
ジ(Ｃ1−Ｃ4アルキル)イミノ、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38は各々独立してＣ1−Ｃ6アルキルであり、
Ｒ35およびＲ49は各々独立して水素またはＣ1−Ｃ6アルキルでありそしてＲ36およびＲ50は各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑは各々独立して０、１または２の整数であり、
Ｒ29は水素、Ｃ1−Ｃ4アルキルまたはＣ1−Ｃ4ハロアルキルであり、
Ｒ24、Ｒ31、Ｒ41およびＲ47は各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48は各々独立して水素、Ｃ2−Ｃ6アルケニル、Ｃ3−Ｃ8シクロアルキル、
場合により１もしくは２個のＣ1−Ｃ4アルコキシ基で置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ｒ46およびＲ48がそれらが結合している原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式またはシクロアルキル環を形成し、そして
Ａ、Ａ1、Ａ3、Ａ4、Ｘ4およびＸ5は各々独立してＯまたはＳである］
を有する中間体化合物、並びにその光学異性体、ジアステレオマー類および／または互変異性体。
【請求項９】  構造式
【化４】
2001516758.tif 000004
［式中、
ＲはＣ1−Ｃ6アルキル、Ｃ1−Ｃ6ハロアルキル、Ｃ3−Ｃ7シクロアルキル、Ｃ3−Ｃ6アルケニル、Ｃ3−Ｃ6アルキニル、ベンジル、ＯＲ4またはＮＲ5Ｒ6であり、
Ｒ1およびＲ2は各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そしてＲ1およびＲ2がそれらが結合している原子と一緒になる時には、それらは場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｘは水素、ハロゲンまたはＣ1−Ｃ4アルキルであり、
Ｘ1は水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺはＯまたはＳ(Ｏ)mであり、
Ｙはハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2はＯ、Ｓ(Ｏ)pまたはＮＲ13であり、
Ｘ3は−Ｃ(＝Ａ3)−、−Ｃ(＝ＮＯＲ14)−または−Ｃ(＝Ｎ−ＮＲ13Ｒ50)であり、
Ｒ4、Ｒ5、Ｒ6、Ｒ7、Ｒ8、Ｒ9、Ｒ10およびＲ14は各々独立して水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、
Ｒ12は水素であるか、
Ｃ1−Ｃ8アルキル、Ｃ3−Ｃ7シクロアルキル、Ｃ2−Ｃ8アルケニル、Ｃ5−Ｃ6シクロアルケニルもしくはＣ2−Ｃ8アルキニル基であり、ここで、各々の基が場合により１〜６個のハロゲン原子、場合により１個のＣ1−Ｃ6アルコキシ、ベンジルオキシもしくはＣ1−Ｃ6アルキルチオ基で置換されていてもよい１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ3−Ｃ7シクロアルキル基、１個のチオシアノ基、１個のＯ(ＳＯ2)Ｒ17基、１個のＯ(ＮＯ2)基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
各々のフェニル基が独立して場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１もしくは２個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであるか、または
場合により１もしくは２個のハロゲン原子、１もしくは２個のＣ1−Ｃ4アルキル基、１個のＣ1−Ｃ4アルコキシ基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいインダンであり、
そしてＲ12およびＲ13がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13は水素、Ｃ1−Ｃ8アルコキシアルキル、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノ、ＳＯ2Ｒ51または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシもしくはＣ1−Ｃ4ハロアルコキシから独立して選択される１個もしくはそれ以上の基で置換されていてもよい５〜１２員の単環式もしくは縮合二環式の複素環式環であり、そしてＲ13およびＲ12がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28はハロゲンであり、
Ｒ22およびＲ27は各々独立して水素、Ｓｉ(Ｒ31)3、Ｃ(Ｏ)ＮＲ35Ｒ36、Ｃ(Ｏ)
Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20は各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ16およびＲ21は各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51は各々独立してＮＲ46Ｒ48、−Ｎ＝ＣＲ46Ｒ48、場合により１個のＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26は各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32は水素、
Ｓｉ(Ｒ47)3、
ジ(Ｃ1−Ｃ4アルキル)イミノ、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38は各々独立してＣ1−Ｃ6アルキルであり、
Ｒ35およびＲ49は各々独立して水素またはＣ1−Ｃ6アルキルであり、そしてＲ36およびＲ50は各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑは各々独立して０、１または２の整数であり、
Ｒ29は水素、Ｃ1−Ｃ4アルキルまたはＣ1−Ｃ4ハロアルキルであり、
Ｒ24、Ｒ31、Ｒ41およびＲ47は各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48は各々独立して水素、Ｃ2−Ｃ6アルケニル、Ｃ3−Ｃ8シクロアルキル、
場合により１もしくは２個のＣ1−Ｃ4アルコキシ基で置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ｒ46およびＲ48がそれらが結合している原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式またはシクロアルキル環を形成し、そして
Ａ、Ａ1、Ａ3、Ａ4、Ｘ4およびＸ5は各々独立してＯまたはＳである］
を有する化合物の製造方法であって、この方法が構造式
【化５】
2001516758.tif 000005
［式中、Ｘ、Ｘ1、ＹおよびＺは上記の通りである］
を有するアミンを有機酸の存在下で構造式
【化６】
2001516758.tif 000006
［式中、Ｒ1およびＲ2は上記の通りである］
を有する２−ジアルキルアミノ−６Ｈ−１,３−オキサジン−６−オンと反応させて構造式
【化７】
2001516758.tif 000007
［式中、Ｒ1、Ｒ2、Ｘ、Ｘ1、ＹおよびＺは上記の通りである］
を有する中間体化合物を生成し、そしてこの中間体化合物を塩基の存在下で構造式
Ｚ1Ｒ
［式中、Ｒは上記の通りでありそしてＺ1は塩素、臭素またはヨウ素である］
を有する求電子剤と反応させることを含んでなる方法。
【手続補正２】
【補正対象書類名】明細書
【補正対象項目名】１２２６
【補正方法】変更
【補正の内容】
【１２２６】
【表４３２】
2001516758.tif 000008
本発明の好適な実施態様は次のとおりである。
１．  構造式
【化１】
2001516758.tif 000009
［式中、
ＲはＣ1−Ｃ6アルキル、Ｃ1−Ｃ6ハロアルキル、Ｃ3−Ｃ7シクロアルキル、Ｃ3−Ｃ6アルケニル、Ｃ3−Ｃ6アルキニル、ベンジル、ＯＲ4またはＮＲ5Ｒ6であり、
Ｒ1およびＲ2は各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そして
Ｒ1およびＲ2がそれらが結合している原子と一緒になる時には、それらは場合により酸素、硫黄または窒素により中断されていてもよくそして場合により１〜３
個のメチル基または１個もしくはそれ以上のハロゲン原子で置換されていてもよい４〜７員の飽和もしくは不飽和環を表し、
Ｒ3はハロゲンまたはＡ2Ｒ11であり、
Ｘは水素、ハロゲンまたはＣ1−Ｃ4アルキルであり、
Ｘ1は水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺはＯまたはＳ(Ｏ)mであり、
Ｙはハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2はＯ、Ｓ(Ｏ)pまたはＮＲ13であり、
Ｘ3は−Ｃ(＝Ａ3)−、−Ｃ(＝ＮＯＲ14)−または−Ｃ(＝Ｎ−ＮＲ13Ｒ50)であり、
Ｒ4、Ｒ5、Ｒ6、Ｒ7、Ｒ8、Ｒ9、Ｒ10、Ｒ11およびＲ14は各々独立して水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、
Ｒ12は水素であるか、
Ｃ1−Ｃ8アルキル、Ｃ3−Ｃ7シクロアルキル、Ｃ2−Ｃ8アルケニル、Ｃ5−Ｃ6シクロアルケニルもしくはＣ2−Ｃ8アルキニル基であり、ここで、各々の基が場合により１〜６個のハロゲン原子、場合により１個のＣ1−Ｃ6アルコキシ、ベンジルオキシもしくはＣ1−Ｃ6アルキルチオ基で置換されていてもよい１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ3−Ｃ7シクロアルキル基、１個のチオシアノ基、１個のＯ(ＳＯ2)Ｒ17基、１個のＯ(ＮＯ2)基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、１個の第四級有機アンモニウム基、または
各々のフェニル基が独立して場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１もしくは２個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであるか、または
場合により１もしくは２個のハロゲン原子、１もしくは２個のＣ1−Ｃ4アルキル基、１個のＣ1−Ｃ4アルコキシ基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいインダンであり、
そしてＲ12およびＲ13がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13は水素、Ｃ1−Ｃ8アルコキシアルキル、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノ、ＳＯ2Ｒ51または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシもしくはＣ1−Ｃ4ハロアルコキシから独立して選択される１個もしくはそれ以上の基で置換されていてもよい５〜１２員の単環式もしくは縮合二環式の複素環式環であり、そしてＲ13およびＲ12がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28はハロゲンであり、
Ｒ22およびＲ27は各々独立して水素、Ｓｉ(Ｒ31)3、Ｃ(Ｏ)ＮＲ35Ｒ36、Ｃ(Ｏ)
Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20は各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ16およびＲ21は各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51は各々独立してＮＲ46Ｒ48、−Ｎ＝ＣＲ46Ｒ48、場合により１個のＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26は各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32は水素、
Ｓｉ(Ｒ47)3、
ジ(Ｃ1−Ｃ4アルキル)イミノ、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38は各々独立してＣ1−Ｃ6アルキルであり、
Ｒ35およびＲ49は各々独立して水素またはＣ1−Ｃ6アルキルでありそしてＲ36およびＲ50は各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑは各々独立して０、１または２の整数であり、
Ｒ29は水素、Ｃ1−Ｃ4アルキルまたはＣ1−Ｃ4ハロアルキルであり、
Ｒ24、Ｒ31、Ｒ41およびＲ47は各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48は各々独立して水素、Ｃ2−Ｃ6アルケニル、Ｃ3−Ｃ8シクロアルキル、
場合により１もしくは２個のＣ1−Ｃ4アルコキシ基で置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、そして
Ｒ46およびＲ48がそれらが結合している原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式またはシクロアルキル環を形成し、そして
Ａ、Ａ1、Ａ2、Ａ3、Ａ4、Ｘ4およびＸ5は各々独立してＯまたはＳである］
を有する化合物、並びにその光学異性体、ジアステレオマー類および／または互変異性体。
２．  ＲがＣ1−Ｃ6アルキル、Ｃ1−Ｃ6ハロアルキル、Ｃ3−Ｃ7シクロアルキル、Ｃ3−Ｃ6アルケニル、Ｃ3−Ｃ6アルキニル、ベンジル、ＯＲ4またはＮＲ5Ｒ6であり、
Ｒ1およびＲ2が各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そして
Ｒ1およびＲ2がそれらが結合している原子と一緒になる時には、それらが場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｒ3がハロゲンまたはＡ2Ｒ11であり、
Ｘが水素、ハロゲンまたはＣ1−Ｃ4アルキルであり、
Ｘ1が水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺがＯまたはＳ(Ｏ)mであり、
Ｙがハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2がＯ、Ｓ(Ｏ)pまたはＮＲ13であり、
Ｘ3が−Ｃ(＝Ａ3)−または−Ｃ(＝ＮＯＲ14)−であり、
Ｒ4、Ｒ5、Ｒ6、Ｒ7、Ｒ8、Ｒ9、Ｒ10、Ｒ11およびＲ14が各々独立して水素、Ｃ1−Ｃ6アルキル、Ｃ3−Ｃ7シクロアルキル、Ｃ2−Ｃ6アルケニル、Ｃ2−Ｃ6アルキニルまたはベンジルであり、
Ｒ12が水素であるか、
Ｃ1−Ｃ6アルキル、Ｃ3−Ｃ7シクロアルキル、Ｃ2−Ｃ6アルケニル、Ｃ5−Ｃ6シクロアルケニルもしくはＣ2−Ｃ6アルキニル基であり、ここで、各々の基が場合により１〜６個のハロゲン原子、１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ(Ｏ)Ｒ18基、１もしくは２個のＣＯ2Ｒ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の複素環式環、
１個の第四級有機アンモニウム基、または
場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであり、
そしてＲ12およびＲ13がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13が水素、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノまたはＳＯ2Ｒ51であり、そしてＲ13およびＲ12がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28がハロゲンであり、
Ｒ22およびＲ27が各々独立して水素、Ｓｉ(Ｒ31)3であるか、
１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＨＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、
または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のＣ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは
１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20が各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいフェニル、または
Ｃ(Ｏ)Ｒ43
であり、
Ｒ16およびＲ21が各々独立して水素、Ｃ1−Ｃ6アルキル、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51が各々独立してＣ1−Ｃ4アルキル、Ｃ1−Ｃ4ハロアルキル、ＣＯ2Ｒ23、
場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26が各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32が水素、
Ｓｉ(Ｒ47)3、
ジ(Ｃ1−Ｃ4アルキル)イミノ、
場合により１個のＣＯ2Ｒ48、Ｃ1−Ｃ6アルコキシもしくはジ(Ｃ1−Ｃ4アルキル)イミノ基で置換されていてもよいＣ1−Ｃ20アルキル、
Ｃ1−Ｃ15ハロアルキル、
Ｃ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリルもしくはＮＲ49Ｒ50基で置換されたＣ1−Ｃ4アルキル、または
アルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38が各々独立してＣ1−Ｃ6アルキルであり、
Ｒ35およびＲ49が各々独立して水素またはＣ1−Ｃ6アルキルでありそしてＲ36およびＲ50が各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑが各々独立して０、１または２の整数であり、
Ｒ29が水素、Ｃ1−Ｃ4アルキルまたはＣ1−Ｃ4ハロアルキルであり、
Ｒ24、Ｒ31、Ｒ41およびＲ47が各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48が各々独立して水素、Ｃ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ａ、Ａ1、Ａ2、Ａ3、Ａ4、Ｘ4およびＸ5が各々独立してＯまたはＳである、
上記１に記載の化合物、並びにその光学異性体、ジアステレオマー類および／または互変異性体。
３．  構造式
【化２】
2001516758.tif 000010
を有する上記１に記載の化合物。
４．  ＲがＣ1−Ｃ4アルキル、Ｃ1−Ｃ4ハロアルキル、Ｃ3−Ｃ4アルケニル、Ｃ3−Ｃ4アルキニルまたはベンジルであり、
Ｒ1がハロゲンまたはＣ1−Ｃ4ハロアルキルであり、
Ｒ2が水素、ハロゲンまたはＣ1−Ｃ4ハロアルキルであり、
ＸおよびＸ1が各々独立して水素またはハロゲンであり、
ＺがＯまたはＳであり、
Ｙがシアノ、Ｒ12、Ｘ2Ｒ12またはＸ3Ｘ2Ｒ12であり、
Ｘ2がＯ、ＳまたはＮＲ13であり、
Ｒ12が水素であるか、
Ｃ1−Ｃ6アルキル、Ｃ3−Ｃ7シクロアルキル、Ｃ2−Ｃ6アルケニル、Ｃ5−Ｃ6シクロアルケニルもしくはＣ2−Ｃ6アルキニル基であり、ここで、各々の基が場合により１〜３個のハロゲン原子、１もしくは２個のＣ1−Ｃ20アルコキシ基、１もしくは２個のＣ1−Ｃ10ハロアルコキシ基、１個のＮＲ15Ｒ16基、１個のＳ(Ｏ)qＲ17基、１もしくは２個のシアノ基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜２個のＸ4Ｒ22基、１個のＰ(Ｏ)(ＯＲ23)2基、１個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
場合により１〜３個のハロゲン原子、１個のＣ1−Ｃ6アルキル基、１個のＣ1−Ｃ6アルコキシ基、１個のＣ3−Ｃ7シクロアルキル基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１個のフェニル基
のいずれかの組み合わせで置換されていてもよいか、
場合により１もしくは２個のハロゲン原子、１〜３個のＣ1−Ｃ4アルキル基、１もしくは２個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであり、
Ｒ13が水素、Ｃ2−Ｃ6アルコキシアルキル、Ｃ1−Ｃ4アルキル、Ｃ3−Ｃ7シクロアルキル、Ｃ3−Ｃ6アルケニル、Ｃ3−Ｃ6アルキニル、ベンジル、ＯＲ23、シアノまたはＳＯ2Ｒ51であり、
Ｒ14が水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、Ｒ16およびＲ21が各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいフェニル
であり、そして
Ｒ32が水素、
Ｓｉ(Ｒ47)3、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
である、
上記３に記載の化合物。
５．  ＲがＣ1−Ｃ4アルキルであり、
Ｒ1がＣ1−Ｃ4ハロアルキルであり、
Ｒ2が水素であり、
ＹがＲ12、ＯＲ12、Ｃ(Ｏ)ＮＲ13Ｒ12、Ｃ(Ｏ)Ｒ12、ＣＯ2Ｒ12、Ｃ(Ｏ)ＳＲ12
またはＣ(＝ＮＯＲ14)であり、
Ｒ12が水素であるか、
Ｃ1−Ｃ6アルキルもしくはＣ2−Ｃ6アルケニル基であり、ここで、各々の基が場合により１〜３個のハロゲン原子、１もしくは２個のＣ1−Ｃ4アルコキシ基、１個のＣ1−Ｃ10ハロアルコキシ基、１個のＮＲ15Ｒ16基、１個のＳ(Ｏ)qＲ17基、１個のＳ(Ｏ)qＲ17基、１もしくは２個のシアノ基、１もしくは２個のＣ(Ｏ)Ｒ18基、１もしくは２個のＣＯ2Ｒ19基、１もしくは２個のＣ(Ｏ)ＮＲ20Ｒ21基、１個のＸ4Ｒ22基、１個のＰ(Ｏ)(ＯＲ23)2基、１個のＯＣ(Ｏ)Ｒ33基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のイミダゾール環、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフタルイミド環、
１個の第四級有機アンモニウム基、または
場合により１〜３個のハロゲン原子、１個のＣ1−Ｃ4アルキル基、１個のＣ1−Ｃ4アルコキシ基もしくは１個のＸ5Ｒ27基のいずれかの組み合わせで置換されていてもよい１個のフェニル基
のいずれかの組み合わせで置換されていてもよいか、
場合により１もしくは２個のハロゲン原子、１〜３個のＣ1−Ｃ4アルキル基、１個のＣ1−Ｃ4アルコキシ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであり、
Ｒ13が水素、Ｃ1−Ｃ6アルコキシアルキル、Ｃ1−Ｃ4アルキル、ＯＲ23、シアノまたはＳＯ2Ｒ51であり、
Ｒ22およびＲ27が各々独立して水素、Ｃ(Ｏ)Ｒ33、ＳＯ2Ｒ47、
１個のＣ1−Ｃ6アルコキシ、ＣＯ2Ｒ32、Ｃ(Ｏ)Ｒ33、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されたＣ1−Ｃ4アルキル、
場合により１個のＣ1−Ｃ6アルコキシ、ＣＯ2Ｒ32、Ｃ(Ｏ)Ｒ33もしくはＣ(ＯＲ34)2基で置換されていてもよいＣ3−Ｃ6アルケニル、
Ｃ3−Ｃ6アルキニル、
場合により１〜３個のハロゲン原子、１もしくは２個のＣ1−Ｃ4アルキル基、１もしくは２個のＣ1−Ｃ4アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニル、または
場合によりフェニル環上で１〜３個のハロゲン原子、１もしくは２個のＣ1−Ｃ4アルキル基、１もしくは２個のＣ1−Ｃ4アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジル
であり、
Ｒ15が水素、
場合により１個のＣＯ2Ｒ42基で置換されていてもよいＣ1−Ｃ4アルキル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、または
Ｃ(Ｏ)Ｒ43
であり、
Ｒ16が水素、Ｃ1−Ｃ4アルキル、Ｐ(Ｏ)(ＯＲ44)2、ＳＯ2Ｒ45、Ｃ(Ｏ)Ｒ46、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジルであり、
Ｒ17、Ｒ18、Ｒ25、Ｒ30、Ｒ33、Ｒ45およびＲ51が各々独立してＮＲ46Ｒ48、Ｃ1−Ｃ4アルキル、Ｃ1−Ｃ4ハロアルキル、
場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル
であり、
Ｒ19およびＲ26が各々独立して水素、Ｃ1−Ｃ4アルキル、Ｃ3−Ｃ6アルケニル、Ｃ3−Ｃ6アルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32が水素、
Ｓｉ(Ｒ47)3、
場合により１個のＣＯ2Ｒ48、ＯＣ(Ｏ)Ｒ33もしくはＣ1−Ｃ4アルコキシ基で置換されていてもよいＣ1−Ｃ4アルキル、
Ｃ1−Ｃ4ハロアルキル、
Ｃ3−Ｃ8シクロアルキル、
Ｃ3−Ｃ8ハロシクロアルキル、
場合により１個のフェニル基で置換されていてもよいＣ3−Ｃ6アルケニル、
Ｃ3−Ｃ6ハロアルケニル、
Ｃ5−Ｃ8シクロアルケニル、
Ｃ5−Ｃ8ハロシクロアルケニル、
場合により１個のフェニル基で置換されていてもよいＣ3−Ｃ6アルキニル、
Ｃ3−Ｃ6ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
１個のピリジル、フリル、チエニル、テトラヒドロフリルもしくはＮＲ49Ｒ50基で置換されたＣ1−Ｃ4アルキル、または
アルカリ金属、アルカリ土類金属、マンガン、銅、亜鉛、コバルト、銀、ニッケル、アンモニウムもしくは有機アンモニウムカチオン
であり、
Ｒ35およびＲ49が各々独立して水素またはＣ1−Ｃ4アルキルでありそしてＲ36およびＲ50が各々独立して水素、シアノ、Ｃ1−Ｃ4アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
Ｒ23が水素またはＣ1−Ｃ4アルキルであり、そして
ＡがＯである、
上記４に記載の化合物。
６．  Ｒがメチルであり、
Ｒ1がトリフルオロメチルであり、
Ｘ1が水素であり、
Ｘが水素または弗素であり、
ＹがＲ12、ＣＯ2Ｒ12、Ｃ(Ｏ)Ｒ12またはＣ(Ｏ)ＮＲ13Ｒ12であり、
Ｒ12が水素、
場合により１〜３個のハロゲン原子、１個のヒドロキシル基、１もしくは２個のＣ1−Ｃ4アルコキシ基、１個のＣ1−Ｃ4ハロアルコキシ基、１個のＳＯ2Ｒ17基、１もしくは２個のシアノ基、１個のＣ(Ｏ)Ｒ18基、１もしくは２個のＣＯ2Ｒ19基、１もしくは２個のＣ(Ｏ)ＮＲ20Ｒ21基、１個のＰ(Ｏ)(ＯＲ23)2基もしくは１個のＯＣ(Ｏ)Ｒ33基のいずれかの組み合わせで置換されていてもよいＣ1−Ｃ6アルキル、
場合により１個のＣ(Ｏ)Ｒ18基もしくは１個のＣＯ2Ｒ19基のいずれかの組み合わせで置換されていてもよいＣ2−Ｃ6アルケニル、
【化３】
2001516758.tif 000011
であり、
Ｒ13が水素、Ｃ1−Ｃ4アルキルまたはＳＯ2Ｒ51であり、
Ｒ14が水素、Ｃ1−Ｃ4アルキルまたはベンジルであり、
Ｒ18、Ｒ23、Ｒ56およびＲ57が各々独立して水素またはＣ1−Ｃ3アルキルであり、
Ｒ52、Ｒ53、Ｒ54およびＲ55が各々独立して水素、Ｃ1−Ｃ3アルキル、Ｃ2−Ｃ3アルケニル、Ｃ1−Ｃ3アルコキシまたはハロゲンであり、但し条件としてＲ52、Ｒ53、Ｒ54およびＲ55の少なくとも１個が水素であり、
Ｒ19が水素、Ｃ1−Ｃ4アルキル、Ｃ3−Ｃ6アルケニル、Ｃ3−Ｃ6アルキニル、ベンジル、ピリジルまたはアルカリ金属、アルカリ土類金属、アンモニウムもしくは有機アンモニウムカチオンであり、
Ｒ22が水素、Ｃ(Ｏ)Ｒ33、ＳＯ2Ｒ47、
場合により１個のシアノ基で置換されていてもよいＣ1−Ｃ4アルキル、
Ｃ3−Ｃ6アルケニル、または
Ｃ3−Ｃ6アルキニル
であり、
Ｒ32が水素、
場合により１個のＣＯ2Ｒ48もしくはＣ1−Ｃ4アルコキシ基で置換されていてもよいＣ1−Ｃ4アルキル、
Ｃ1−Ｃ4ハロアルキル、
場合により１個のフェニル基で置換されていてもよいＣ3−Ｃ6アルケニル、
場合により１個のフェニル基で置換されていてもよいＣ3−Ｃ6アルキニル、
１個のピリジル、フリル、チエニル、テトラヒドロフリルもしくはＮＲ49Ｒ50基で置換されたＣ1−Ｃ4アルキル、または
アルカリ金属、アルカリ土類金属、アンモニウムもしくは有機アンモニウムカチオン
であり、
Ｒ35およびＲ49が各々独立して水素またはＣ1−Ｃ4アルキルであり、
Ｒ36がＳＯ2Ｒ51またはＣ1−Ｃ3アルコキシであり、
Ｒ17、Ｒ33およびＲ51が各々独立してＣ1−Ｃ4アルキル、Ｃ1−Ｃ4ハロアルキル、ＮＲ46Ｒ48、Ｃ3−Ｃ6シクロアルキルまたはイソオキサゾール環であり、
Ｒ46およびＲ48が各々独立して水素、Ｃ1−Ｃ4アルキルまたはベンジルであり、
Ｒ47がＣ1−Ｃ4アルキルであり、
Ｒ50がＣ1−Ｃ4アルキルまたは
場合によりハロゲン、シアノ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ａ1がＯである、
上記５に記載の化合物。
７．  ＹがＣ1−Ｃ3アルキル、ＣＯ2Ｒ32、ハロメチル、シアノメチル、Ｃ(ＣＨ3)2ＣＯ2Ｒ32、Ｃ1−Ｃ3アルコキシエチル、Ｃ1−Ｃ3アルコキシメチル、ヒドロキシメチル、ＣＨＯ、Ｃ(Ｏ)ＣＨ3、ＣＨ(ＣＨ3)(Ｃ1−Ｃ4アルコキシ)、Ｃ(ＣＨ3)2ＣＮ、ＣＨ[Ｏ(Ｃ1−Ｃ3アルキル)]2、ＣＨ2ＳＯ2Ｒ17、Ｃ(Ｏ)ＮＨＳＯ2Ｒ51、
【化４】
2001516758.tif 000012
であり、
Ｒ53、Ｒ54、Ｒ55およびＲ56が各々独立して水素またはメチルであり、但し条件としてＲ53、Ｒ54およびＲ55の少なくとも１個が水素であり、
Ｒ22がシアノメチル、メチル、エチル、アリルまたはプロパルギルであり、
Ｒ32が水素、
場合により１個のＣＯ2Ｒ48基で置換されていてもよいＣ1−Ｃ4アルキル、
Ｃ1−Ｃ4ハロアルキル、
Ｃ3−Ｃ6アルケニル、または
Ｃ3−Ｃ6アルキニル
であり、
Ｒ35が水素である、
上記６に記載の化合物。
８．  {{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸イソプロピル、
{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}酢酸メチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−(ジメチルアミノ)エチル、
２−{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}プロピオン酸メチル、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}プロピオン酸メチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−プロピニル、
３−[３−(６−メトキシ−ｍ−トリル)−１,２−ベンズイソチアゾール−５−イル]−１−メチル−６−(トリフルオロメチル)−２,４(１Ｈ,３Ｈ)−ピリミジンジオン、
３−[３−(ｐ−エチルフェニル)−１,２−ベンズイソチアゾール−５−イル]−１−メチル−６−(トリフルオロメチル)−２,４(１Ｈ,３Ｈ)−ピリミジンジオン、
１−メチル−３−(３−メチル−１,２−ベンズイソチアゾール−５−イル]−６−(トリフルオロメチル)−２,４(１Ｈ,３Ｈ)−ピリミジンジオン、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｍ−トリル}オキシ}プロピオン酸メチル、
{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}酢酸メチル、
３−[３−(ジブロモメチル)−１,２−ベンズイソチアゾール−５−イル]−１−メチル−６−(トリフルオロメチル)−２,４(１Ｈ,３Ｈ)−ピリミジンジオン、３−(６−フルオロ−３−メチル−１,２−ベンズイソオキサゾール−５−イル]−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸エチル、
１−メチル−３−{３−[６−(２−プロピニルオキシ)−ｍ−トリル]−１,２−ベンズイソチアゾール−５−イル}−６−(トリフルオロメチル)−２,４(１Ｈ,３Ｈ)−ピリミジンジオン、
３−{３−{６−[(１−ベンズイミダゾリルカルボニル)メトキシ]−ｍ−トリル}−１,２−ベンズイソチアゾール−５−イル}−１−メチル−６−(トリフルオロメチル)−２,４(１Ｈ,３Ｈ)−ピリミジンジオン、
３−{３−{６−{[(ｍ−シアノフェニル)カルバモイル]メトキシ}−ｍ−トリル}−１,２−ベンズイソチアゾール−５−イル}−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸アリル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸３−フェニル−２−プロピニル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸１−メチル−２−プロピニル、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}プロピオン酸２−クロロエチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２,２,２−トリフルオロエチル、
３−[３−(２−メトキシ−ｐ−トリル)−１,２−ベンズイソチアゾール−５−イル]−１−メチル−６−(トリフルオロメチル)−２,４(１Ｈ,３Ｈ)−ピリミジンジオン、
２−[３−(６−メトキシ−３,４−キシリル)−１,２−ベンズイソチアゾール−５−イル]−１−メチル−６−(トリフルオロメチル)−２,４(１Ｈ,３Ｈ)−ピリミジンジオン、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}プロピオン酸メチル、
{{６−{５−[３,６−ジヒドロ−３−メチル−２,６−ジオキソ−４−(トリフルオロメチル)−１(２Ｈ)−ピリミジニル]−１,２−ベンズイソチアゾール−３−イル}−２,４−キシリル}オキシ}酢酸メチル、
３−{３−{６−{[(ｍ−シアノフェニル)カルバモイル]メトキシ}−ｍ−トリル}−１,２−ベンズイソチアゾール−５−イル}−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}酢酸メチル、
１−メチル−３−{３−[(メチルスルホニル)メチル]−１,２−ベンズイソチアゾール−５−イル}−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}酢酸２−プロピニル、
３−[３−(ｏ−メトキシフェニル)−１,２−ベンズイソチアゾール−５−イル］−１−メチル−６−(トリフルオロメチル)−２,４(１Ｈ,３Ｈ)−ピリミジンジオン、
Ｎ−{{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}アセチル}メタンスルホンアミド、
２−{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}プロピオン酸２−プロピニル、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸２−プロピニル、
５−[３,６−ジヒドロ−３−メチル−２,６−ジオキソ−４−(トリフルオロメチル)−１(２Ｈ)−ピリミジニル]−１,２−ベンズイソチアゾール−３−アセトニトリル、
３−{３−[(アリルオキシ)メチル]−１,２−ベンズイソチアゾール−５−イル}−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−Ｎ−(メチルスルホニル)−１,２−ベンズイソチアゾール−３−カルボキシアミド、
{{２−{５−[３,６−ジヒドロ−３−メチル−２,６−ジオキソ−４−(トリフルオロメチル)−１(２Ｈ)−ピリミジニル]−６−フルオロ−１,２−ベンズイソオキサゾール−３−イル}−ｐ−トリル}オキシ}酢酸メチル、
{{６−{５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−イル}−ｍ−トリル}オキシ}酢酸メチル、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}プロピオン酸、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}−Ｎ−メトキシアセトアミド、
２−{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−４−メトキシフェノキシ}プロピオン酸メチル、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−(メチルスルホニル)アセトアミド、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−(メチルスルホニル)プロピオンアミド、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}−Ｎ−メチル−Ｎ−(メチルスルホニル)アセトアミド、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−メチル−Ｎ−(メチルスルホニル)アセトアミド、
２−{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}−Ｎ−(エチルスルホニル)アセトアミド、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,２−チオフェンカルボキシレート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,ベンゾエート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,メトキシアセテート（エステル）、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−α,α−ジメチル−１,２−ベンズイソチアゾール−３−アセトニトリル、
５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−アセトニトリル、
５−[３,６−ジヒドロ−３−メチル−２,６−ジオキソ−４−(トリフルオロメチル)−１(２Ｈ)−ピリミジニル]−α−エチル−１,２−ベンズイソチアゾール−３−アセトニトリル、
５−[３,６−ジヒドロ−３−メチル−２,６−ジオキソ−４−(トリフルオロメチル)−１(２Ｈ)−ピリミジニル]−α,α−ジエチル−１,２−ベンズイソチアゾール−３−アセトニトリル、
３−[６−フルオロ−３−(メトキシメチル)−１,２−ベンズイソチアゾール−５−イル]−１−メチル−６−(トリフルオロメチル)−２,４(１Ｈ,３Ｈ)−ピリミジンジオン、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,５−イソオキサゾールカルボキシレート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,シクロプロパンカルボキシレート（エステル）、
３−(３−アセチル−１,２−ベンズイソチアゾール−５−イル]−１−メチル−６−(トリフルオロメチル)−２,４(１Ｈ,３Ｈ)−ピリミジンジオン、
３−[３−(１−メトキシエチル)−１,２−ベンズイソチアゾール−５−イル]−１−メチル−６−(トリフルオロメチル)−２,４(１Ｈ,３Ｈ)−ピリミジンジオン、
Ｎ−(ベンジルスルホニル)−５−[３,６−ジヒドロ−３−メチル−２,６−ジオキソ−４−(トリフルオロメチル)−１(２Ｈ)−ピリミジニル]−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−１,２−ベンズイソチアゾール−３−カルボン酸メチル、
５−[３,６−ジヒドロ−３−メチル−２,６−ジオキソ−４−(トリフルオロメチル)−１(２Ｈ)−ピリミジニル]−α,α−ジメチル−１,２−ベンズイソチアゾール−３−酢酸ベンジル、
Ｎ−(ベンジルスルホニル)−５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(メチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−[(ｐ−メチルベンジル)スルホニル]−１,２−ベンズイソチアゾール−３−カルボキシアミド、
Ｎ−(ベンジルスルホニル)−５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボキシアミド、
３−[３−(１−ヒドロキシエチル)−１,２−ベンズイソチアゾール−５−イル]−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−１,２−ベンズイソチアゾール−３−カルボキシアルデヒド,３−(ジメチルアセタール)、
３−(６−フルオロ−３−メチル−１,２−ベンズイソチアゾール−５−イル)−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボキシアルデヒド,３−(ジメチルアセタール)、
５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボン酸、
５−[３,６−ジヒドロ−３−メチル−２,６−ジオキソ−４−(トリフルオロメチル)−１(２Ｈ)−ピリミジニル]−α−メチル−１,２−ベンズイソチアゾール−３−アセトニトリル、
Ｎ−(ベンジルスルホニル)−５−[３,６−ジヒドロ−３−メチル−２,６−ジオキソ−４−(トリフルオロメチル)−１(２Ｈ)−ピリミジニル]−Ｎ−(エトキシメチル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(ジメチルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−α,α−ジメチル−１,２−ベンズイソチアゾール−３−酢酸メチル、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,２−フロエート（ｆｕｒｏａｔｅ）（エステル）、
Ｎ−[(ｍ−クロロベンジル)スルホニル]−５−[３,６−ジヒドロ−３−メチル−２,６−ジオキソ−４−(トリフルオロメチル)−１(２Ｈ)−ピリミジニル]−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(ジイソプロピルスルファモイル)−１,２−ベンズイソチアゾール−３−カルボキシアミド、および
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,メチルカルバメート（エステル）
よりなる群から選択される上記１に記載の化合物。
９．  望ましくない植物の葉またはそれらの種子もしくは他の増殖器官を含有する土もしくは水に除草有効量の上記１に記載の化合物を適用することを含んでなる望ましくない植物種の抑制方法。
１０．  化合物が上記２に記載の化合物である上記９に記載の方法。
１１．  化合物が構造式
【化５】
2001516758.tif 000013
を有する上記９に記載の方法。
１２．  化合物が上記４に記載の化合物である上記１１に記載の方法。
１３．  化合物が上記８に記載の化合物である上記９に記載の方法。
１４．  望ましくない植物種の葉またはそれらの種子もしくは他の増殖器官を含有する土もしくは水に、作物植物、作物種子または他の作物増殖器官の存在下で、化合物を適用する上記９に記載の方法。
１５．  作物が穀類作物である上記１４に記載の方法。
１６．  穀類作物がトウモロコシ、小麦および稲よりなる群から選択される上記１５に記載の方法。
１７．  穀類作物がトウモロコシであり、そして化合物が
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸イソプロピル、
{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}酢酸メチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−(ジメチルアミノ)エチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−プロピニル、
３−[３−(ｐ−エチルフェニル)−１,２−ベンズイソチアゾール−５−イル]−１−メチル−６−(トリフルオロメチル)−２,４(１Ｈ,３Ｈ)−ピリミジンジオン、
{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}酢酸メチル、
３−[３−(ジブロモメチル)−１,２−ベンズイソチアゾール−５−イル]−１−メチル−６−(トリフルオロメチル)−２,４(１Ｈ,３Ｈ)−ピリミジンジオン、{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸１−メチル−２−プロピニル、
{{２−{５−[３,６−ジヒドロ−３−メチル−２,６−ジオキソ−４−(トリフルオロメチル)−１(２Ｈ)−ピリミジニル]−１,２−ベンズイソオキサゾール−３イル}−ｐ−トリル}オキシ}酢酸メチル、
１−メチル−３−{３−[(メチルスルホニル)メチル]−１,２−ベンズイソチアゾール−５−イル}−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}酢酸２−プロピニル、
３−[３−(ｏ−メトキシフェニル)−１,２−ベンズイソチアゾール−５−イル}−１−メチル−６−(トリフルオロメチル)−２,４(１Ｈ,３Ｈ)−ピリミジンジオン、
Ｎ−{{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}アセチル}メタンスルホンアミド、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸２−プロピニル、
５−[３,６−ジヒドロ−３−メチル−２,６−ジオキソ−４−(トリフルオロメチル)−１(２Ｈ)−ピリミジニル]−１,２−ベンズイソチアゾール−３−アセトニトリル、
３−{３−[(アリルオキシ)メチル]−１,２−ベンズイソチアゾール−５−イル}−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−Ｎ−(メチルスルホニル)−１,２−ベンズイソチアゾール−３−カルボキシアミド、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}−Ｎ−メチル−Ｎ−(メチルスルホニル)アセトアミド、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,メチルカルバメート（エステル）、
Ｎ−(ベンジルスルホニル)−５−[３,６−ジヒドロ−３−メチル−２,６−ジオキソ−４−(トリフルオロメチル)−１(２Ｈ)−ピリミジニル]−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(ジイソプロピルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(ジメチルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボン酸、および
Ｎ−(ベンジルスルホニル)−５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−カルボキシアミド
よりなる群から選択される上記１６に記載の方法。
１８．  穀類作物が小麦であり、そして化合物が
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸イソプロピル、
{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}酢酸メチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−(ジメチルアミノ)エチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２−プロピニル、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｍ−トリル}オキシ}プロピオン酸メチル、
３−(６−フルオロ−３−メチル−１,２−ベンズイソオキサゾール−５−イル]−１−メチル−６−(トリフルオロメチル)−２,４(１Ｈ,３Ｈ)−ピリミジンジオン、
３−{３−{６−[(１−ベンズイミダゾリルカルボニル)メトキシ]−ｍ−トリル}−１,２−ベンズイソチアゾール−５−イル}−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸アリル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸３−フェニル−２−プロピニル、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}プロピオン酸２−クロロエチル、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸２,２,２−トリフルオロエチル、
{{６−{５−[３,６−ジヒドロ−３−メチル−２,６−ジオキソ−４−(トリフルオロメチル)−１(２Ｈ)−ピリミジニル]−１,２−ベンズイソチアゾール−３−イル}−２,４−キシリル}オキシ}酢酸メチル、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}−Ｎ−メトキシアセトアミド、
２−{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}−Ｎ−メチル−Ｎ−(メチルスルホニル)アセトアミド、
{{６−５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−イル}−ｍ−トリル}オキシ}酢酸メチル、
３−(３−アセチル−１,２−ベンズイソチアゾール−５−イル]−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−１,２−ベンズイソチアゾール−３−カルボン酸メチル、
５−[３,６−ジヒドロ−３−メチル−２,６−ジオキソ−４−(トリフルオロメチル)−１(２Ｈ)−ピリミジニル]−Ｎ−(イソプロピルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
Ｎ−[(ｍ−クロロベンジル)スルホニル]−５−[３,６−ジヒドロ−３−メチル−２,６−ジオキソ−４−(トリフルオロメチル)−１(２Ｈ)−ピリミジニル]−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(ジイソプロピルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−((イソプロピルスルファモイル)−１,２−ベンズイソチアゾール−３−カルボキシアミド、および
５−[３,６−ジヒドロ−３−メチル−２,６−ジオキソ−４−(トリフルオロメチル)−１(２Ｈ)−ピリミジニル]−Ｎ−(ジメチルスルファモイル)−１,２−ベンズイソチアゾール−３−カルボキシアミド
よりなる群から選択される上記１６に記載の方法。
１９．  穀類作物が稲であり、そして化合物が
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸イソプロピル、
{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}酢酸メチル、
３−[３−(６−メトキシ−ｍ−トリル)−１,２−ベンズイソチアゾール−５−イル]−１−メチル−６−(トリフルオロメチル)−２,４(１Ｈ,３Ｈ)−ピリミジンジオン、
{{２−{５−[３,６−ジヒドロ−３−メチル−２,６−ジオキソ−４−(トリフルオロメチル)−１(２Ｈ)−ピリミジニル]−１,２−ベンズイソチアゾール−３−イル}−ｐ−トリル}オキシ}酢酸エチル、
１−メチル−３−{３−[６−(２−プロピニルオキシ)−ｍ−トリル]−１,２−ベンズイソチアゾール−５−イル}−６−(トリフルオロメチル)−２,４(１Ｈ,３Ｈ)−ピリミジンジオン、
３−{３−{６−{[(ｍ−シアノフェニル)カルバモイル]メトキシ}−ｍ−トリル}−１,２−ベンズイソチアゾール−５−イル}−１−メチル−６−(トリフルオロメチル)−２,４(１Ｈ,３Ｈ)−ピリミジンジオン、
３−[３−(２−メトキシ−ｐ−トリル)−１,２−ベンズイソチアゾール−５−イル]−１−メチル−６−(トリフルオロメチル)−２,４(１Ｈ,３Ｈ)−ピリミジンジオン、
２−[３−(６−メトキシ−３,４−キシリル)−１,２−ベンズイソチアゾール−５−イル]−１−メチル−６−(トリフルオロメチル)−２,４(１Ｈ,３Ｈ)−ピリミジンジオン、
３−{３−{６−{[(ｍ−シアノフェニル)カルバモイル]メトキシ}−ｍ−トリル}−１,２−ベンズイソチアゾール−５−イル}−１−メチル−６−(トリフルオロメチル)−２,４(１Ｈ,３Ｈ)−ピリミジンジオン、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸２−プロピニル、
３−{３−[(アリルオキシ)メチル]−１,２−ベンズイソチアゾール−５−イル}−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−α−エチル−１,２−ベンズイソチアゾール−３−アセトニトリル、
５−[３,６−ジヒドロ−３−メチル−２,６−ジオキソ−４−(トリフルオロメチル)−１(２Ｈ)−ピリミジニル]−α,α−ジエチル−１,２−ベンズイソチアゾール−３−アセトニトリル、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,５−イソオキサゾールカルボキシレート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,シクロプロパンカルボキシレート（エステル）、
５−[３,６−ジヒドロ−３−メチル−２,６−ジオキソ−４−(トリフルオロメチル)−１(２Ｈ)−ピリミジニル]−１,２−ベンズイソチアゾール−３−カルボン酸メチル、
５−[３,６−ジヒドロ−３−メチル−２,６−ジオキソ−４−(トリフルオロメチル)−１(２Ｈ)−ピリミジニル]−Ｎ−(イソプロピルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−α,α−ジメチル−１,２−ベンズイソチアゾール−３−酢酸ベンジル、
５−[３,６−ジヒドロ−３−メチル−２,６−ジオキソ−４−(トリフルオロメチル)−１(２Ｈ)−ピリミジニル]−Ｎ−(ジイソプロピルスルファモイル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルファモイル)−１,２−ベンズイソチアゾール−３−カルボキシアミド、および
５−[３,６−ジヒドロ−３−メチル−２,６−ジオキソ−４−(トリフルオロメチル)−１(２Ｈ)−ピリミジニル]−Ｎ−(ジメチルスルファモイル)−１,２−ベンズイソチアゾール−３−カルボキシアミド
よりなる群から選択される上記１６に記載の方法。
２０．  作物が大豆である上記１４に記載の方法。
２１．  化合物が
２−{{２−{５−[３,６−ジヒドロ−３−メチル−４−(トリフルオロメチル)−２,６−ジオキソ−１(２Ｈ)−ピリミジニル]−１,２−ベンズイソチアゾール−３−イル}−ｐ−トリル}オキシ}プロピオン酸メチル、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}プロピオン酸メチル、
１−メチル−３−(３−メチル−１,２−ベンズイソチアゾール−５−イル]−６−(トリフルオロメチル)−２,４(１Ｈ,３Ｈ)−ピリミジンジオン、
２−{{６−{５−[３,６−ジヒドロ−３−メチル−４−(トリフルオロメチル)−２,６−ジオキソ−１(２Ｈ)−ピリミジニル]−１,２−ベンズイソチアゾール−３−イル}−３,４−キシリル}オキシ}プロピオン酸メチル、
{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}酢酸２−プロピニル、
３−[３−(ｏ−メトキシフェニル)−１,２−ベンズイソチアゾール−５−イル}−１−メチル−６−(トリフルオロメチル)−２,４(１Ｈ,３Ｈ)−ピリミジンジオン、
２−{{２−{５−[３,６−ジヒドロ−３−メチル−２,６−ジオキソ−４−(トリフルオロメチル)−１(２Ｈ)−ピリミジニル]−１,２−ベンズイソオキサゾール−３−イル}−ｐ−トリル}オキシ}プロピオン酸２−プロピニル、
{ｏ−{５−[３,６−ジヒドロ−３−メチル−２,６−ジオキソ−４−(トリフルオロメチル)−１(２Ｈ)−ピリミジニル]−１,２−ベンズイソチアゾール−３−イル}フェノキシ}酢酸２−プロピニル、
３−{３−[(アリルオキシ)メチル]−１,２−ベンズイソチアゾール−５−イル}−１−メチル−６−(トリフルオロメチル)−２,４(１Ｈ,３Ｈ)−ピリミジンジオン、
５−[３,６−ジヒドロ−３−メチル−２,６−ジオキソ−４−(トリフルオロメチル)−１(２Ｈ)−ピリミジニル]−Ｎ−(メチルスルホニル)−１,２−ベンズイソチアゾール−３−カルボキシアミド、
{{２−{５−[３,６−ジヒドロ−３−メチル−２,６−ジオキソ−４−(トリフルオロメチル)−１(２Ｈ)−ピリミジニル]−６−フルオロ−１,２−ベンズイソオキサゾール−３−イル}−ｐ−トリル}オキシ}酢酸メチル、
{{６−{５−[３,６−ジヒドロ−３−メチル−２,６−ジオキソ−４−(トリフルオロメチル)−１(２Ｈ)−ピリミジニル]−６−フルオロ−１,２−ベンズイソチアゾール−３−イル}−ｍ−トリル}オキシ}酢酸メチル、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,ベンゾエート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,２−チオフェンカルボキシレート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,メトキシアセテート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,シクロプロパンカルボキシレート（エステル）、
３−[３−(ヒドロキシメチル)−１,２−ベンズイソチアゾール−５−イル]−１−メチル−６−(トリフルオロメチル)−２,４(１Ｈ,３Ｈ)−ピリミジンジオン,２−フロエート（エステル）、
５−[３,６−ジヒドロ−３−メチル−２,６−ジオキソ−４−(トリフルオロメチル)−１(２Ｈ)−ピリミジニル]−Ｎ−(メチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(エチルスルホニル)−１,２−ベンズイソチアゾール−３−カルボキシアミド、
５−[３,６−ジヒドロ−３−メチル−２,６−ジオキソ−４−(トリフルオロメチル)−１(２Ｈ)−ピリミジニル]−Ｎ−(イソプロピルスルファモイル)−１,２−ベンズイソチアゾール−３−カルボキシアミド、および
５−[３,６−ジヒドロ−３−メチル−２,６−ジオキソ−４−(トリフルオロメチル)−１(２Ｈ)−ピリミジニル]−Ｎ−(ジメチルスルファモイル)−１,２−ベンズイソチアゾール−３−カルボキシアミド
よりなる群から選択される上記２０に記載の方法。
２２．  化合物が望ましくない植物種の葉またはそれらの種子もしくは他の増殖器官を含有する土もしくは水に約０.００１ｋｇ／ｈａ〜１ｋｇ／ｈａの割合で適用される上記９に記載の方法。
２３．  不活性固体または液体担体および除草有効量の上記１に記載の化合物を含んでなる除草剤組成物。
２４．  化合物が上記２に記載の化合物である上記２３に記載の組成物。
２５．  化合物が構造式
【化６】
2001516758.tif 000014
を有する上記２３に記載の組成物。
２６．  化合物が上記４に記載の化合物である上記２５に記載の組成物。
２７．  化合物が上記８に記載の化合物である上記２３に記載の組成物。
２８．  構造式
【化７】
2001516758.tif 000015
［式中、
Ｒ1およびＲ2は各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そしてＲ1およびＲ2がそれらが結合している原子と一緒になる時には、それらは場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｘは水素、ハロゲンまたはＣ1−Ｃ4アルキルであり、
Ｘ1は水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺはＯまたはＳ(Ｏ)mであり、
Ｙはハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2はＯ、Ｓ(Ｏ)pまたはＮＲ13であり、
Ｘ3は−Ｃ(＝Ａ3)−、−Ｃ(＝ＮＯＲ14)−または−Ｃ(＝Ｎ−ＮＲ13Ｒ50)であり、
Ｒ4、Ｒ5、Ｒ6、Ｒ7、Ｒ8、Ｒ9、Ｒ10、Ｒ11およびＲ14は各々独立して水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、
Ｒ12は水素であるか、
Ｃ1−Ｃ8アルキル、Ｃ3−Ｃ7シクロアルキル、Ｃ2−Ｃ8アルケニル、Ｃ5−Ｃ6シクロアルケニルもしくはＣ2−Ｃ8アルキニル基であり、ここで、各々の基が場合により１〜６個のハロゲン原子、場合により１個のＣ1−Ｃ6アルコキシ、ベンジルオキシもしくはＣ1−Ｃ6アルキルチオ基で置換されていてもよい１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ3−Ｃ7シクロアルキル基、１個のチオシアノ基、１個のＯ(ＳＯ2)Ｒ17基、１個のＯ(ＮＯ2)基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
各々のフェニル基が独立して場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１もしくは２個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであるか、または
場合により１もしくは２個のハロゲン原子、１もしくは２個のＣ1−Ｃ4アルキル基、１個のＣ1−Ｃ4アルコキシ基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいインダンであり、
そしてＲ12およびＲ13がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13は水素、Ｃ1−Ｃ8アルコキシアルキル、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノ、ＳＯ2Ｒ51または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシもしくはＣ1−Ｃ4ハロアルコキシから独立して選択される１個もしくはそれ以上の基で置換されていてもよい５〜１２員の単環式もしくは縮合二環式の複素環式環であり、そしてＲ13およびＲ12がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28はハロゲンであり、
Ｒ22およびＲ27は各々独立して水素、Ｓｉ(Ｒ31)3、Ｃ(Ｏ)ＮＲ35Ｒ36、Ｃ(Ｏ)Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20は各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ16およびＲ21は各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51は各々独立してＮＲ46Ｒ48、−Ｎ＝ＣＲ46Ｒ48、場合により１個のＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26は各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32は水素、
Ｓｉ(Ｒ47)3、
ジ(Ｃ1−Ｃ4アルキル)イミノ、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38は各々独立してＣ1−Ｃ6アルキルであり、
Ｒ35およびＲ49は各々独立して水素またはＣ1−Ｃ6アルキルでありそしてＲ36およびＲ50は各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑは各々独立して０、１または２の整数であり、
Ｒ29は水素、Ｃ1−Ｃ4アルキルまたはＣ1−Ｃ4ハロアルキルであり、
Ｒ24、Ｒ31、Ｒ41およびＲ47は各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48は各々独立して水素、Ｃ2−Ｃ6アルケニル、Ｃ3−Ｃ8シクロアルキル、
場合により１もしくは２個のＣ1−Ｃ4アルコキシ基で置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ｒ46およびＲ48がそれらが結合している原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式またはシクロアルキル環を形成し、そして
Ａ、Ａ1、Ａ3、Ａ4、Ｘ4およびＸ5は各々独立してＯまたはＳである］
を有する中間体化合物、並びにその光学異性体、ジアステレオマー類および／または互変異性体。
２９．  Ｒ1およびＲ2が各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そしてＲ1およびＲ2がそれらが結合している原子と一緒になる時には、それらが場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｘが水素、ハロゲンまたはＣ1−Ｃ4アルキルであり、
Ｘ1が水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺがＯまたはＳ(Ｏ)mであり、
Ｙがハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2がＯ、Ｓ(Ｏ)pまたはＮＲ13であり、
Ｘ3が−Ｃ(＝Ａ3)−または−Ｃ(＝ＮＯＲ14)−であり、
Ｒ4、Ｒ5、Ｒ6、Ｒ7、Ｒ8、Ｒ9、Ｒ10、Ｒ11およびＲ14が各々独立して水素、Ｃ1−Ｃ6アルキル、Ｃ3−Ｃ7シクロアルキル、Ｃ2−Ｃ6アルケニル、Ｃ2−Ｃ6アルキニルまたはベンジルであり、
Ｒ12が水素であるか、
Ｃ1−Ｃ6アルキル、Ｃ3−Ｃ7シクロアルキル、Ｃ2−Ｃ6アルケニル、Ｃ5−Ｃ6シクロアルケニルもしくはＣ2−Ｃ6アルキニル基であり、ここで、各々の基が場合により１〜６個のハロゲン原子、１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ(Ｏ)Ｒ18基、１もしくは２個のＣＯ2Ｒ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の複素環式環、
１個の第四級有機アンモニウム基、または
場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであり、
そしてＲ12およびＲ13がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13が水素、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノまたはＳＯ2Ｒ51であり、そしてＲ13およびＲ12がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28がハロゲンであり、
Ｒ22およびＲ27が各々独立して水素、Ｓｉ(Ｒ31)3であるか、
１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＨＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、
または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のＣ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＨＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20が各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいフェニル、または
Ｃ(Ｏ)Ｒ43
であり、
Ｒ16およびＲ21が各々独立して水素、Ｃ1−Ｃ6アルキル、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51が各々独立してＣ1−Ｃ4アルキル、Ｃ1−Ｃ4ハロアルキル、ＣＯ2Ｒ23、
場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26が各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32が水素、
Ｓｉ(Ｒ47)3、
ジ(Ｃ1−Ｃ4アルキル)イミノ、
場合により１個のＣＯ2Ｒ48、Ｃ1−Ｃ6アルコキシもしくはジ(Ｃ1−Ｃ4アルキル)イミノ基で置換されていてもよいＣ1−Ｃ20アルキル、
Ｃ1−Ｃ15ハロアルキル、
Ｃ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリルもしくはＮＲ49Ｒ50基で置換されたＣ1−Ｃ4アルキル、または
アルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38が各々独立してＣ1−Ｃ6アルキルであり、
Ｒ35およびＲ49が各々独立して水素またはＣ1−Ｃ6アルキルでありそしてＲ36およびＲ50が各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑが各々独立して０、１または２の整数であり、
Ｒ29が水素、Ｃ1−Ｃ4アルキルまたはＣ1−Ｃ4ハロアルキルであり、
Ｒ24、Ｒ31、Ｒ41およびＲ47が各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48が各々独立して水素、Ｃ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ａ、Ａ1、Ａ3、Ａ4、Ｘ4およびＸ5が各々独立してＯまたはＳである、
上記２８に記載の化合物、並びにその光学異性体、ジアステレオマー類および／または互変異性体。
３０．  Ｒ1およびＲ2が各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そしてＲ1およびＲ2がそれらが結合している原子と一緒になる時には、それらが場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｘが水素、ハロゲンまたはＣ1−Ｃ4アルキルであり、
Ｘ1が水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺがＯまたはＳ(Ｏ)mであり、
Ｙがハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2がＯ、Ｓ(Ｏ)pまたはＮＲ13であり、
Ｘ3が−Ｃ(＝Ａ3)−、−Ｃ(＝ＮＯＲ14)−または−Ｃ(＝Ｎ−ＮＲ13Ｒ50)であり、
Ｒ4、Ｒ5、Ｒ6、Ｒ7、Ｒ8、Ｒ9、Ｒ10、Ｒ11およびＲ14が各々独立して水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、
Ｒ12が水素であるか、
Ｃ1−Ｃ8アルキル、Ｃ3−Ｃ7シクロアルキル、Ｃ2−Ｃ8アルケニル、Ｃ5−Ｃ6シクロアルケニルもしくはＣ2−Ｃ8アルキニル基であり、ここで、各々の基が場合により１〜６個のハロゲン原子、場合により１個のＣ1−Ｃ6アルコキシ、ベンジルオキシもしくはＣ1−Ｃ6アルキルチオ基で置換されていてもよい１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ3−Ｃ7シクロアルキル基、１個のチオシアノ基、１個のＯ(ＳＯ2)Ｒ17基、１個のＯ(ＮＯ2)基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
各々のフェニル基が独立して場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１もしくは２個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであるか、または場合により１もしくは２個のハロゲン原子、１もしくは２個のＣ1−Ｃ4アルキル基、１個のＣ1−Ｃ4アルコキシ基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいインダンであり、
そしてＲ12およびＲ13がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13が水素、Ｃ1−Ｃ8アルコキシアルキル、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノ、ＳＯ2Ｒ51または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシもしくはＣ1−Ｃ4ハロアルコキシから独立して選択される１個もしくはそれ以上の基で置換されていてもよい５〜１２員の単環式もしくは縮合二環式の複素環式環であり、そしてＲ13およびＲ12がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28がハロゲンであり、
Ｒ22およびＲ27が各々独立して水素、Ｓｉ(Ｒ31)3、Ｃ(Ｏ)ＮＲ35Ｒ36、Ｃ(Ｏ)
Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、
または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20が各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ16およびＲ21が各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51が各々独立してＮＲ46Ｒ48、−Ｎ＝ＣＲ46Ｒ48、場合によりＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26が各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32が水素、
Ｓｉ(Ｒ47)3、
ジ(Ｃ1−Ｃ4アルキル)イミノ、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38が各々独立してＣ1−Ｃ6アルキルであり、
Ｒ35およびＲ49が各々独立して水素またはＣ1−Ｃ6アルキルでありそしてＲ36およびＲ50が各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑが各々独立して０、１または２の整数であり、
Ｒ29が水素、Ｃ1−Ｃ4アルキルまたはＣ1−Ｃ4ハロアルキルであり、
Ｒ24、Ｒ31、Ｒ41およびＲ47が各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48が各々独立して水素、Ｃ2−Ｃ6アルケニル、Ｃ3−Ｃ8シクロアルキル、
場合により１もしくは２個のＣ1−Ｃ4アルコキシで置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ｒ46およびＲ48がそれらが結合している原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、そして
Ａ、Ａ1、Ａ3、Ａ4、Ｘ4およびＸ5が各々独立してＯまたはＳである、
上記２８に記載の化合物、並びにその光学異性体、ジアステレオマー類および／または互変異性体。
３１．  Ｒ1がハロゲンまたはＣ1−Ｃ4ハロアルキルであり、
Ｒ2が水素、ハロゲンまたはＣ1−Ｃ4ハロアルキルであり、
ＸおよびＸ1が各々独立して水素またはハロゲンであり、
ＺがＯまたはＳであり、
Ｙがシアノ、Ｒ12、Ｘ2Ｒ12またはＸ3Ｘ2Ｒ12であり、
Ｘ2がＯ、ＳまたはＮＲ13であり、
Ｘ3が−Ｃ(＝Ａ3)−、−Ｃ(＝ＮＯＲ14)−または−Ｃ(＝Ｎ−ＮＲ13Ｒ50)であり、
Ｒ12が水素であるか、
Ｃ1−Ｃ6アルキル、Ｃ3−Ｃ7シクロアルキル、Ｃ2−Ｃ6アルケニル、Ｃ5−Ｃ6シクロアルケニルもしくはＣ2−Ｃ6アルキニル基であり、ここで、各々の基が場合により１〜３個のハロゲン原子、１もしくは２個のＣ1−Ｃ20アルコキシ基、１もしくは２個のＣ1−Ｃ10ハロアルコキシ基、１個のＮＲ15Ｒ16基、１個のＳ(Ｏ)qＲ17基、１もしくは２個のシアノ基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜２個のＸ4Ｒ22基、１個のＰ(Ｏ)(ＯＲ23)2基、１個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
場合により１〜３個のハロゲン原子、１個のＣ1−Ｃ6アルキル基、１個のＣ1−Ｃ6アルコキシ基、１個のＣ3−Ｃ7シクロアルキル基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１個のフェニル基
のいずれかの組み合わせで置換されていてもよいか、
場合により１もしくは２個のハロゲン原子、１〜３個のＣ1−Ｃ4アルキル基、１もしくは２個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであり、Ｒ13が水素、Ｃ2−Ｃ6アルコキシアルキル、Ｃ1−Ｃ4アルキル、Ｃ3−Ｃ7シクロアルキル、Ｃ3−Ｃ6アルケニル、Ｃ3−Ｃ6アルキニル、ベンジル、ＯＲ23、シアノまたはＳＯ2Ｒ51であり、
Ｒ28がハロゲンであり、
Ｒ22およびＲ27が各々独立して水素、Ｓｉ(Ｒ31)3、Ｃ(Ｏ)ＮＲ35Ｒ36、Ｃ(Ｏ)
Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基で置換されていてもよい１個の５〜１２員の単環式もしくは縮合二環式の複素環式環
で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ6、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基の組み合わせで置換されていてもよい４〜１０員の複素環式環であり、
Ｒ15およびＲ20が各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ14が水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、Ｒ16およびＲ21が各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいフェニル
であり、
Ｒ17、Ｒ18、Ｒ25、Ｒ30、Ｒ33、Ｒ45およびＲ51が各々独立してＮＲ46Ｒ48、−Ｎ＝ＣＲ46Ｒ48、場合により１個のＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルもしくはＸ4Ｒ22基から独立して選択される１個もしくはそれ以上の基で置換されていてもよい５〜１２員の単環式もしくは縮合二環式の複素環式環
であり、
Ｒ19およびＲ26が各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32が水素、
Ｓｉ(Ｒ47)3、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38が各々独立してＣ1−Ｃ6アルキルであり、
Ｒ35およびＲ49が各々独立して水素またはＣ1−Ｃ6アルキルでありそしてＲ36およびＲ50は各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらが場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｑが０、１または２の整数であり、
Ｒ29が水素、Ｃ1−Ｃ4アルキルまたはＣ1−Ｃ4ハロアルキルであり、
Ｒ24、Ｒ31、Ｒ41およびＲ47が各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48が各々独立して水素、Ｃ2−Ｃ6アルケニル、Ｃ3−Ｃ8シクロアルキル、
場合により１もしくは２個のＣ1−Ｃ4アルコキシで置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ａ、Ａ1、Ａ3、Ａ4、Ｘ4およびＸ5が各々独立してＯまたはＳである、
上記３０に記載の化合物、並びにその光学異性体、ジアステレオマー類および／または互変異性体。
３２．  構造式
【化８】
2001516758.tif 000016
［式中、
ＲはＣ1−Ｃ6アルキル、Ｃ1−Ｃ6ハロアルキル、Ｃ3−Ｃ7シクロアルキル、Ｃ3−Ｃ6アルケニル、Ｃ3−Ｃ6アルキニル、ベンジル、ＯＲ4またはＮＲ5Ｒ6であり、
Ｒ1およびＲ2は各々独立して水素、ハロゲン、Ｃ1−Ｃ6アルキル、Ｃ3−Ｃ7シクロアルキル、Ｃ1−Ｃ6ハロアルキル、Ｃ3−Ｃ6アルケニル、Ｃ3−Ｃ6ハロアルケニル、Ｃ3−Ｃ6アルキニル、ＯＲ7、Ｓ(Ｏ)nＲ8またはＮＲ9Ｒ10であり、そしてＲ1およびＲ2がそれらが結合している原子と一緒になる時には、それらは場合により酸素、硫黄または窒素により中断されていてもよくそして場合により１〜３個のメチル基または１個もしくはそれ以上のハロゲン原子で置換されていてもよい４〜７員の飽和もしくは不飽和環を表し、
Ｘは水素、ハロゲンまたはＣ1−Ｃ4アルキルであり、
Ｘ1は水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺはＯまたはＳ(Ｏ)mであり、
Ｙはハロゲン、シアノ、Ｒ12、Ｘ2Ｒ12、Ｘ3Ｒ12、Ｘ2Ｘ3Ｒ12またはＸ3Ｘ2Ｒ12であり、
Ｘ2はＯ、Ｓ(Ｏ)pまたはＮＲ13であり、
Ｘ3は−Ｃ(＝Ａ3)−、−Ｃ(＝ＮＯＲ14)−または−Ｃ(＝Ｎ−ＮＲ13Ｒ50)であり、
Ｒ4、Ｒ5、Ｒ6、Ｒ7、Ｒ8、Ｒ9、Ｒ10およびＲ14は各々独立して水素、Ｃ1−Ｃ6アルキル、Ｃ3−Ｃ7シクロアルキル、Ｃ2−Ｃ8アルコキシアルキル、Ｃ2−Ｃ6アルケニル、Ｃ2−Ｃ6アルキニルまたはベンジルであり、
Ｒ12は水素であるか、
Ｃ1−Ｃ8アルキル、Ｃ3−Ｃ7シクロアルキル、Ｃ2−Ｃ8アルケニル、Ｃ5−Ｃ6シクロアルケニルもしくはＣ2−Ｃ8アルキニル基であり、ここで、各々の基が場合により１〜６個のハロゲン原子、場合により１個のＣ1−Ｃ6アルコキシ、ベンジルオキシもしくはＣ1−Ｃ6アルキルチオ基で置換されていてもよい１〜３個のＣ1−Ｃ20アルコキシ基、１もしくは２個のＣ1−Ｃ10ハロアルコキシ基、１もしくは２個のＮＲ15Ｒ16基、１〜３個のＳ(Ｏ)qＲ17基、１もしくは２個のシアノ基、１もしくは２個のＣ3−Ｃ7シクロアルキル基、１個のチオシアノ基、１個のＯ(ＳＯ2)Ｒ17基、１個のＯ(ＮＯ2)基、１もしくは２個のＣ(Ｏ)Ｒ18基、１もしくは２個のＣＯ2Ｒ19基、１もしくは２個のＣ(Ｏ)ＳＲ19基、１もしくは２個のＣ(Ｏ)ＮＲ20Ｒ21基、１〜３個のＸ4Ｒ22基、１もしくは２個のＰ(Ｏ)(ＯＲ23)2基、１もしくは２個のＳｉ(Ｒ24)3基、
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基または１もしくは２個のＸ4Ｒ22基のいずれかの組み合わせで置換されていてもよい１個の４〜１０員の単環式もしくは縮合二環式の複素環式環、
１個の第四級有機アンモニウム基、または
各々のフェニル基が独立して場合により１〜３個のハロゲン原子、１〜３個のＣ1−Ｃ6アルキル基、１〜３個のＣ1−Ｃ6アルコキシ基、１個のＣ3−Ｃ7シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基もしくは１個のＸ5Ｒ27基のいずれかの組み合わせで置換されていてもよい１もしくは２個のフェニル基
のいずれかの組み合わせで置換されていてもよいか、
場合により１〜３個のハロゲン原子、１〜３個のＣ1−Ｃ4アルキル基、１〜３個のＣ1−Ｃ4アルコキシ基、１個のＣ3−Ｃ6シクロアルキル基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいフェニルであるか、または
場合により１もしくは２個のハロゲン原子、１もしくは２個のＣ1−Ｃ4アルキル基、１個のＣ1−Ｃ4アルコキシ基、１個のＣ1−Ｃ4ハロアルキル基、１個のＣ1−Ｃ4アルキルチオ基、１個のシアノ基、１個のニトロ基、１個のＣ(Ｏ)Ｒ25基、１個のＣＯ2Ｒ26基、１個のＸ4Ｒ22基、１個のＣＨ＝ＣＨＲ22基、１個のＣＨ2ＣＨ(Ｒ28)Ｒ22基もしくは１個のＮ(Ｒ29)ＳＯ2Ｒ30基のいずれかの組み合わせで置換されていてもよいインダンであり、
そしてＲ12およびＲ13がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ13は水素、Ｃ1−Ｃ8アルコキシアルキル、Ｃ1−Ｃ6アルキル、Ｃ3−Ｃ7シクロアルキル、Ｃ3−Ｃ6アルケニル、Ｃ3−Ｃ6アルキニル、ベンジル、ＯＲ23、シアノ、ＳＯ2Ｒ51または場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシもしくはＣ1−Ｃ4ハロアルコキシから独立して選択される１個もしくはそれ以上の基で置換されていてもよい５〜１２員の単環式もしくは縮合二環式の複素環式環であり、そしてＲ13およびＲ12がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニルまたはＸ4Ｒ22基から独立して選択される１個もしくはそれ以上の基で置換されていてもよい５〜１２員の単環式もしくは縮合二環式の複素環式環を形成し、
Ｒ28はハロゲンであり、
Ｒ22およびＲ27は各々独立して水素、Ｓｉ(Ｒ31)3、Ｃ(Ｏ)ＮＲ35Ｒ36、Ｃ(Ｏ)
Ｒ33、ＳＯ2Ｒ47であるか、
１個のヒドロキシル、ベンジルオキシ、ニトロ、ＯＣ(Ｏ)Ｒ33、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｐ(Ｏ)(ＯＨ)ＮＨ2、Ｐ(Ｏ)(ＯＨ)(ＯＲ23)、Ｃ(Ｏ)ＮＲ35ＯＲ23、シアノもしくは２−ジオキソラニル基、
各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい１個の５〜１２員の単環式もしくは縮合二環式の複素環式環
で置換されたＣ1−Ｃ20アルキルであるか、
場合により１〜３個のハロゲン原子、１個のヒドロキシル基、１個のＣ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ20アルケニルであるか、
場合により１個のヒドロキシル、Ｃ1−Ｃ6アルコキシ、Ｃ1−Ｃ4アルキル、Ｃ2−Ｃ4アルケニル、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ5−Ｃ8シクロアルケニルであるか、
場合により１個のヒドロキシル、Ｃ1−Ｃ6アルコキシ、ＣＯ2Ｒ32、Ｃ(Ｏ)Ｒ33、Ｃ(Ａ4Ｒ34)2、Ｃ(Ｏ)ＮＲ35Ｒ36、Ｃ(Ｏ)ＯＮ＝ＣＲ37Ｒ38、Ｃ(Ｏ)ＮＲ35ＯＲ23、シアノもしくは２−ジオキソラニル基、または各々の環が場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい１個のフェニル、ジヒドロフラノンもしくはフラノン環で置換されていてもよいＣ3−Ｃ10アルキニルであるか、
場合により１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいフェニルであるか、
場合によりフェニル環上で１〜３個のハロゲン原子、１〜３個のＣ1−Ｃ6アルキル基、１〜３個のＣ1−Ｃ6アルコキシ基、１個のＣ1−Ｃ4ハロアルキル基、１個のＣ1−Ｃ4ハロアルコキシ基、１個のシアノ基、１個のニトロ基、１個のＮＲ39Ｒ40基もしくは１個のＣ(Ｏ)Ｒ33基のいずれかの組み合わせで置換されていてもよいベンジルであるか、または
場合により１もしくは２個のオキソ基、１もしくは２個のチオキソ基、１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよい４〜１０員の複素環式環であり、
Ｒ15およびＲ20は各々独立して水素、
各々の基が場合により１個のＣＯ2Ｒ42基で置換されていてもよいＣ1−Ｃ6アルキル、Ｃ3−Ｃ7シクロアルキル、Ｃ2−Ｃ6アルケニルもしくはＣ2−Ｃ6アルキニル基、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基もしくは１〜３個のＣ1−Ｃ4ハロアルコキシ基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のＣＯ2Ｒ26基のいずれかの組み合わせで置換されていてもよいフェニル、
Ｃ(Ｏ)Ｒ43、または
ＣＯ2Ｒ42
であり、
Ｒ16およびＲ21は各々独立して水素、Ｃ1−Ｃ6アルキル、Ｃ1−Ｃ4アルコキシ、Ｃ3−Ｃ7シクロアルキル、Ｃ2−Ｃ6アルケニル、Ｃ3−Ｃ7シクロアルケニル、Ｃ2−Ｃ6アルキニル、Ｐ(Ｏ)(ＯＲ44)2、ＳＯ2Ｒ45、Ｃ(Ｏ)Ｒ46、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいベンジル、または
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基もしくは１個のＸ4Ｒ22基のいずれかの組み合わせで置換されていてもよいフェニル
であり、
Ｒ17、Ｒ18、Ｒ25、Ｒ30、Ｒ33、Ｒ45およびＲ51は各々独立してＮＲ46Ｒ48、−Ｎ＝ＣＲ46Ｒ48、場合により１個のＣ1−Ｃ6アルコキシ、チオフェンもしくはフラン基で置換されていてもよいＣ1−Ｃ8アルキル、Ｃ1−Ｃ6ハロアルキル、Ｃ3−Ｃ8シクロアルキル、ＣＯ2Ｒ23、場合によりフェニルで置換されていてもよいＣ2−Ｃ6アルケニル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいベンジル、
場合により１〜３個のハロゲン原子、１〜３個のＣ1−Ｃ4アルキル基、１〜３個のＣ1−Ｃ4ハロアルキル基、１〜３個のＣ1−Ｃ4アルコキシ基、１〜３個のＣ1−Ｃ4ハロアルコキシ基、１個のニトロ基、１個のシアノ基もしくは１個のＸ4Ｒ22基のいずれかの組み合わせで置換されていてもよいフェニル、または
場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシ、Ｃ1−Ｃ4ハロアルキルスルホニル基もしくはＸ4Ｒ22基から独立して選択される１個もしくはそれ以上の基で置換されていてもよい５〜１２員の単環式もしくは縮合二環式の複素環式環
であり、
Ｒ19およびＲ26は各々独立して水素、Ｃ1−Ｃ20アルキル、Ｃ1−Ｃ8ハロアルキル、Ｃ3−Ｃ7シクロアルキル、Ｃ3−Ｃ7ハロシクロアルキル、Ｃ3−Ｃ20アルケニル、Ｃ3−Ｃ8ハロアルケニル、Ｃ5−Ｃ8シクロアルケニル、Ｃ5−Ｃ8ハロシクロアルケニル、Ｃ3−Ｃ8アルキニル、Ｃ3−Ｃ8ハロアルキニル、Ｓｉ(Ｒ41)3、ベンジル、フェニル、フルフリル、ピリジル、チエニル、オキシイミノまたはアルカリ金属、アルカリ土類金属、マンガン、銅、亜鉛、コバルト、銀、ニッケル、アンモニウムもしくは有機アンモニウムカチオンであり、
Ｒ32は水素、
Ｓｉ(Ｒ47)3、
ジ(Ｃ1−Ｃ4アルキル)イミノ、
場合により１個のＣＯ2Ｒ48、Ｃ1−Ｃ6アルコキシ、Ｃ1−Ｃ6チオアルキル、Ｃ2−Ｃ20アルコキシアルコキシ、フェニル、ＯＳｉ(Ｒ47)3、ＯＣ(Ｏ)Ｒ33、Ｃ3−Ｃ7シクロアルキルもしくはジ(Ｃ1−Ｃ4アルキル)イミノ基で置換されていてもよいＣ1−Ｃ20アルキル、
Ｃ1−Ｃ15ハロアルキル、
場合により１個のＣＯ2Ｒ48基で置換されていてもよいＣ3−Ｃ8シクロアルキル、
Ｃ3−Ｃ8ハロシクロアルキル、
場合により１個のフェニル基で置換されていてもよいＣ3−Ｃ20アルケニル、
Ｃ3−Ｃ15ハロアルケニル、
Ｃ5−Ｃ8シクロアルケニル、
Ｃ5−Ｃ8ハロシクロアルケニル、
場合により１個のフェニル基で置換されていてもよいＣ3−Ｃ20アルキニル、
Ｃ3−Ｃ20ハロアルキニル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル、
２−、３−もしくは４−ピリジル、
２−もしくは３−フリル、
２−もしくは３−チエニル、
２−テトラヒドロフラニル、
１個のピリジル、フリル、チエニル、テトラヒドロフリル、Ｃ3−Ｃ8シクロアルキル、ジオキサンもしくはＮＲ49Ｒ50基で置換されたＣ1−Ｃ4アルキル、またはアルカリ金属、アルカリ土類金属、マンガン、銅、亜鉛、コバルト、銀、ニッケル、アンモニウムもしくは有機アンモニウムカチオン
であり、
Ｒ34、Ｒ37およびＲ38は各々独立してＣ1−Ｃ6アルキルであり、
Ｒ35およびＲ49は各々独立して水素またはＣ1−Ｃ6アルキルであり、そしてＲ36およびＲ50は各々独立して水素、シアノ、Ｃ1−Ｃ6アルキル、ＳＯ2Ｒ51または場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニルであり、
或いはＲ35およびＲ36またはＲ49およびＲ50がそれらが結合している窒素原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式環を形成し、
ｍ、ｎ、ｐおよびｑは各々独立して０、１または２の整数であり、
Ｒ29は水素、Ｃ1−Ｃ4アルキルまたはＣ1−Ｃ4ハロアルキルであり、
Ｒ24、Ｒ31、Ｒ41およびＲ47は各々独立してＣ1−Ｃ4アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、
Ｒ23、Ｒ39、Ｒ40、Ｒ42、Ｒ43、Ｒ44、Ｒ46およびＲ48は各々独立して水素、Ｃ2−Ｃ6アルケニル、Ｃ3−Ｃ8シクロアルキル、
場合により１もしくは２個のＣ1−Ｃ4アルコキシ基で置換されていてもよいＣ1−Ｃ8アルキル、
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいベンジル、または
場合によりハロゲン、シアノ、ニトロ、Ｃ1−Ｃ4アルキル、Ｃ1−Ｃ4ハロアルキル、Ｃ1−Ｃ4アルコキシおよびＣ1−Ｃ4ハロアルコキシ基から独立して選択される１個もしくはそれ以上の基で置換されていてもよいフェニル
であり、そして
Ｒ46およびＲ48がそれらが結合している原子と一緒になる時には、それらは場合によりハロゲン、シアノ、ニトロ、アミノ、ヒドロキシル、Ｃ1−Ｃ4アルキル、Ｃ1−Ｃ4ハロアルキル、Ｃ1−Ｃ4アルコキシ、Ｃ1−Ｃ4ハロアルコキシもしくはＣ1−Ｃ4ハロアルキルスルホニル基から独立して選択される１個もしくはそれ以上の基で置換されていてもよい５〜１２員の単環式もしくは縮合二環式の複素環式またはシクロアルキル環を形成し、そして
Ａ、Ａ1、Ａ3、Ａ4、Ｘ4およびＸ5は各々独立してＯまたはＳである］
を有する化合物の製造方法であって、この方法が構造式
【化９】
2001516758.tif 000017
［式中、Ｘ、Ｘ1、ＹおよびＺは上記の通りである］
を有するアミンを有機酸の存在下で構造式
【化１０】
2001516758.tif 000018
［式中、Ｒ1およびＲ2は上記の通りである］
を有する２−ジアルキルアミノ−６Ｈ−１,３−オキサジン−６−オンと反応させて構造式
【化１１】
2001516758.tif 000019
［式中、Ｒ1、Ｒ2、Ｘ、Ｘ1、ＹおよびＺは上記の通りである］
を有する中間体化合物を生成し、そしてこの中間体化合物を塩基の存在下で構造式
Ｚ1Ｒ
［式中、Ｒは上記の通りでありそしてＺ1は塩素、臭素またはヨウ素である］
を有する求電子剤と反応させることを含んでなる方法。
３３．  構造式
【化１２】
2001516758.tif 000020
［式中、
Ｘは水素、ハロゲンまたはＣ1−Ｃ4アルキルであり、
Ｘ1は水素、ハロゲン、Ｃ1−Ｃ4アルキル、Ｃ1−Ｃ4ハロアルキル、Ｃ1−Ｃ4アルコキシまたはＣ1−Ｃ4ハロアルコキシであり、
ＺはＯまたはＳ(Ｏ)mであり、そして
ｍは０、１または２の整数である］
を有する化合物の製造方法であって、この方法が構造式
【化１３】
2001516758.tif 000021
［式中、Ｘ、Ｘ1およびＺは上記の通りである］
を有する化合物を酸の存在下で塩素または臭素と反応させることを含んでなる方法。